(57)【要約】【課題】商品の誤出庫ないし誤出荷などを防止する。【解決手段】複数種類の商品を管理する商品管理装置１と、複数種類の商品のうち少なくとも１種類の商品に対応付けされるタグ装置２と、利用者に保持されその利用者の人体を通じて商品管理装置１およびタグ装置２と通信を行う保持装置３とを設けた。そして、利用者がタグ装置２の通信電極２２０にタッチしたとき、そこからタグ装置２の商品の識別情報を保持装置３に送信し、利用者が商品管理装置１の該当する通信電極１２０にタッチしたとき、そこから商品管理装置１の該当する識別情報を保持装置３に送信し、タグ装置２からの識別情報と商品管理装置１からの識別情報との照合を保持装置３で行うようにした。【選択図】　図１
2004026501.tif 000002
【特許請求の範囲】
【請求項１】
複数種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、
前記商品管理装置は、前記複数種類の商品をそれぞれ保管する複数の保管スペース部と、これら複数の保管スペース部に保管される複数種類の商品の識別情報を記憶する管理側記憶手段と、前記複数の保管スペース部にそれぞれ設けられる複数の管理側信号電極と、前記管理側記憶手段に記憶されている識別情報を含む変調信号を生成する管理側変調手段と、この管理側変調手段によって生成された変調信号をこれに含まれる識別情報に対応する前記管理側信号電極から送信する管理側送信手段とを備え、
前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、
前記保持装置は、保持側信号電極と、接地電極と、当該保持装置を保持する利用者が前記管理側信号電極または前記タグ側信号電極にタッチしたとき、前記保持側信号電極を通じて前記管理側信号電極または前記タグ側信号電極からの変調信号を受信する保持側受信手段と、この保持側受信手段によって受信された変調信号を復調信号に復調する保持側復調手段と、この保持側復調手段によって復調された復調信号から、前記商品管理装置からの識別情報および前記タグ装置からの識別情報を得てこれらの照合を行う照合手段とを備える
ことを特徴する商品管理システム。
【請求項２】
複数種類の商品のうち１種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、前記商品管理装置は、自己が管理する商品の識別情報を記憶する管理側記憶手段と、管理側信号電極と、前記管理側記憶手段に記憶されている識別情報を含む変調信号を生成する管理側変調手段と、この管理側変調手段によって生成された変調信号を前記管理側信号電極から送信する管理側送信手段とを備え、
前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、
前記保持装置は、保持側信号電極と、接地電極と、当該保持装置を保持する利用者が前記管理側信号電極または前記タグ側信号電極にタッチしたとき、前記保持側信号電極を通じて前記管理側信号電極または前記タグ側信号電極からの変調信号を受信する保持側受信手段と、この保持側受信手段によって受信された変調信号を復調信号に復調する保持側復調手段と、この保持側復調手段によって復調された復調信号から、前記商品管理装置からの識別情報および前記タグ装置からの識別情報を得てこれらの照合を行う照合手段とを備える
ことを特徴する商品管理システム。
【請求項３】
前記商品管理装置および前記タグ装置をそれぞれ複数備えることを特徴する請求項２記載の商品管理システム。
【請求項４】
前記保持装置は、前記照合手段の照合結果を示す情報を、当該保持装置を保持する利用者に報知する報知手段を備えることを特徴とする請求項１から３のいずれかに記載の商品管理システム。
【請求項５】
前記保持装置は、前記照合手段の照合結果を含む変調信号を生成する保持側変調手段と、この保持側変調手段によって生成された変調信号を前記保持側信号電極から送信する保持側送信手段とを備え、
前記商品管理装置は、前記保持装置を保持する利用者がタッチした前記管理側信号電極を通じて前記保持側信号電極からの変調信号を受信する管理側受信手段と、この管理側受信手段によって受信された変調信号を復調信号に復調する管理側復調手段と、この管理側復調手段によって復調された復調信号から、前記保持装置からの照合結果を得て、この照合結果を示す情報を前記利用者に対して報知する報知手段とを備える
ことを特徴とする請求項１から３のいずれかに記載の商品管理システム。
【請求項６】
複数種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、
前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、
前記保持装置は、保持側信号電極と、接地電極と、当該保持装置を保持する利用者が前記タグ側信号電極にタッチしたとき、前記保持側信号電極を通じて前記タグ側信号電極からの変調信号を受信する保持側受信手段と、この保持側受信手段によって受信された変調信号を復調信号に復調する保持側復調手段と、この保持側復調手段によって復調された復調信号から、前記タグ装置からの識別情報を得てこれを記憶する保持側記憶手段と、この保持側記憶手段に記憶されている識別情報を含む変調信号を生成する保持側変調手段と、この保持側変調手段によって生成された変調信号を前記保持側信号電極から送信する保持側送信手段とを備え、
前記商品管理装置は、前記複数種類の商品をそれぞれ保管する複数の保管スペース部と、これら複数の保管スペース部に保管される複数種類の商品の識別情報を記憶する管理側記憶手段と、前記複数の保管スペース部にそれぞれ設けられる複数の管理側信号電極と、これら複数の管理側信号電極のうちいずれかの管理側信号電極に前記保持装置を保持する利用者がタッチしたとき、その管理側信号電極を通じて前記保持側信号電極からの変調信号を受信する管理側受信手段と、この管理側受信手段によって受信された変調信号を復調信号に復調する管理側復調手段と、この管理側復調手段によって復調された復調信号から、前記保持装置からの識別情報を得て、これと前記利用者がタッチした管理側信号電極に対応する識別情報との照合を行う照合手段とを備える
ことを特徴する商品管理システム。
【請求項７】
複数種類の商品のうち１種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、
前記保持装置は、保持側信号電極と、接地電極と、当該保持装置を保持する利用者が前記タグ側信号電極にタッチしたとき、前記保持側信号電極を通じて前記タグ側信号電極からの変調信号を受信する保持側受信手段と、この保持側受信手段によって受信された変調信号を復調信号に復調する保持側復調手段と、この保持側復調手段によって復調された復調信号から、前記タグ装置からの識別情報を得てこれを記憶する保持側記憶手段と、この保持側記憶手段に記憶されている識別情報を含む変調信号を生成する保持側変調手段と、この保持側変調手段によって生成された変調信号を前記保持側信号電極から送信する保持側送信手段とを備え、
前記商品管理装置は、自己が管理する商品の識別情報を記憶する管理側記憶手段と、管理側信号電極と、この管理側信号電極に前記保持装置を保持する利用者がタッチしたとき、その管理側信号電極を通じて前記保持側信号電極からの変調信号を受信する管理側受信手段と、この管理側受信手段によって受信された変調信号を復調信号に復調する管理側復調手段と、この管理側復調手段によって復調された復調信号から、前記保持装置からの識別情報を得て、これと前記管理側記憶手段に記憶されている識別情報との照合を行う照合手段とを備える
ことを特徴する商品管理システム。
【請求項８】
前記商品管理装置および前記タグ装置をそれぞれ複数備えることを特徴する請求項７記載の商品管理システム。
【請求項９】
前記商品管理装置は、前記照合手段の照合結果を示す情報を、前記保持装置を保持する利用者に報知する報知手段を備えることを特徴とする請求項６から８のいずれかに記載の商品管理システム。
【請求項１０】
前記商品管理装置は、前記照合手段の照合結果を含む変調信号を生成する管理側変調手段と、この管理側変調手段によって生成された変調信号を前記管理側信号電極から送信する管理側送信手段とを備え、
前記保持装置は、前記保持側復調手段によって復調された復調信号から、前記商品管理装置からの照合結果を得て、この照合結果を示す情報を前記利用者に対して報知する報知手段とを備える
ことを特徴とする請求項６から８のいずれかに記載の商品管理システム。
【請求項１１】
複数種類の商品のうち少なくとも１種類の商品に対応付けされるタグ装置と、利用者に保持されその利用者の人体を通じて前記タグ装置と通信を行う保持装置とにより構成される商品管理システムであって、
前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、
前記保持装置は、前記複数種類の商品のうち自己に対応付けされた少なくとも１種類の商品の識別情報を記憶する保持側記憶手段と、保持側信号電極と、接地電極と、当該保持装置を保持する利用者が前記タグ側信号電極にタッチしたとき、前記保持側信号電極を通じて前記タグ側信号電極からの変調信号を受信する保持側受信手段と、この保持側受信手段によって受信された変調信号を復調信号に復調する保持側復調手段と、この保持側復調手段によって復調された復調信号から、前記タグ装置からの識別情報を得て、これと前記保持側記憶手段に記憶されている識別情報との照合を行う照合手段とを備える
ことを特徴する商品管理システム。
【請求項１２】
前記保持装置は、前記照合手段の照合結果を示す情報を、当該保持装置を保持する利用者に報知する報知手段を備えることを特徴とする請求項１１記載の商品管理システム。
【請求項１３】
前記保持装置は、前記照合手段の照合結果を含む変調信号を生成する保持側変調手段と、この保持側変調手段によって生成された変調信号を前記保持側信号電極から送信する保持側送信手段とを備え、
前記タグ装置は、前記保持装置を保持する利用者がタッチした前記タグ側信号電極を通じて前記保持側信号電極からの変調信号を受信するタグ側受信手段と、このタグ側受信手段によって受信された変調信号を復調信号に復調するタグ側復調手段と、このタグ側復調手段によって復調された復調信号から、前記保持装置からの照合結果を得て、この照合結果を示す情報を前記利用者に対して報知する報知手段とを備える
ことを特徴とする請求項１１記載の商品管理システム。
【請求項１４】
前記商品管理装置によって管理される商品が保管される保管スペース部の開口を開閉自在に閉塞する開閉扉と、この開閉扉を施錠する電気錠とを備え、前記照合結果を示す情報が合致したことを示す情報であるとき、対応する開閉扉の電気錠を解錠する解錠手段を前記商品管理装置に設けたことを特徴とする請求項５から１０のいずれかに記載の商品管理システム。
【請求項１５】
前記タグ装置は、当該タグ装置に対応付けされる商品を納めるための商品カゴと、この商品カゴの開口を開閉自在に閉塞する開閉扉と、この開閉扉を施錠する電気錠と、前記照合結果を示す情報が合致したことを示す情報であるとき、前記開閉扉の電気錠を解錠する解錠手段とを備えることを特徴とする請求項１２記載の商品管理システム。
【請求項１６】
前記保管スペース部の全部または一部は導電体であり、この導電体と前記商品管理装置の回路グランドとが電気的に接続されることを特徴とする請求項１、４、５、６、９、１０または１４記載の商品管理システム。
【請求項１７】
前記タグ装置は、当該タグ装置に対応付けされる商品を納めるための商品カゴを備え、この商品カゴの全部または一部は導電体であり、この導電体と前記タグ装置の回路グランドとが電気的に接続されることを特徴とする請求項１１、１２、１３または１５記載の商品管理システム。
【請求項１８】
前記商品管理装置の管理側記憶手段または前記タグ装置のタグ側記憶手段に、その記憶手段用の商品の識別情報を記憶するための設定器を備えることを特徴とする請求項１、２、３、４、５、６、７、８、９、１０、１４または１６記載の商品管理システム。
【請求項１９】
前記タグ装置のタグ側記憶手段に、その記憶手段用の商品の識別情報を記憶するための設定器を備えることを特徴とする請求項１１、１２、１３、１５または１７記載の商品管理システム。
【請求項２０】
前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、
前記商品管理装置は、当該商品管理装置における、前記管理側信号電極を通じて前記設定側信号電極からの変調信号を受信する管理側受信手段およびこの管理側受信手段によって受信された変調信号を復調信号に復調する管理側復調手段を介して、その管理側復調手段によって復調された復調信号から得られる商品の識別情報を当該管理側記憶手段に記憶し、
前記タグ装置は、当該タグ装置における、前記タグ側信号電極を通じて前記設定側信号電極からの変調信号を受信するタグ側受信手段およびこのタグ側受信手段によって受信された変調信号を復調信号に復調するタグ側復調手段を介して、そのタグ側復調手段によって復調された復調信号から得られる商品の識別情報を当該タグ側記憶手段に記憶する
ことを特徴とする請求項１８記載の商品管理システム。
【請求項２１】
前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、
前記タグ装置は、当該タグ装置における、前記タグ側信号電極を通じて前記設定側信号電極からの変調信号を受信するタグ側受信手段およびこのタグ側受信手段によって受信された変調信号を復調信号に復調するタグ側復調手段を介して、そのタグ側復調手段によって復調された復調信号から得られる商品の識別情報を当該タグ側記憶手段に記憶する
ことを特徴とする請求項１９記載の商品管理システム。
【請求項２２】
前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、
前記保持装置は、当該保持装置における、前記保持側信号電極を通じて前記設定側信号電極からの変調信号を受信する保持側受信手段、この保持側受信手段によって受信された変調信号を復調信号に復調する保持側復調手段、この保持側復調手段によって復調された復調信号から得られる商品の識別情報を含む変調信号を生成する保持側変調手段およびこの保持側変調手段によって生成された変調信号を前記保持側信号電極から送信する保持側送信手段を介して、前記設定器からの商品の識別情報を前記商品管理装置または前記タグ装置に転送し、
前記商品管理装置は、当該商品管理装置における、前記管理側信号電極を通じて前記保持側信号電極からの変調信号を受信する管理側受信手段およびこの管理側受信手段によって受信された変調信号を復調信号に復調する管理側復調手段を介して、その管理側復調手段によって復調された復調信号から得られる前記設定器からの商品の識別情報を当該管理側記憶手段に記憶し、
前記タグ装置は、当該タグ装置における、前記タグ側信号電極を通じて前記保持側信号電極からの変調信号を受信するタグ側受信手段およびこのタグ側受信手段によって受信された変調信号を復調信号に復調するタグ側復調手段を介して、そのタグ側復調手段によって復調された復調信号から得られる前記設定器からの商品の識別情報を当該タグ側記憶手段に記憶する
ことを特徴とする請求項１８記載の商品管理システム。
【請求項２３】
前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、
前記保持装置は、当該保持装置における、前記保持側信号電極を通じて前記設定側信号電極からの変調信号を受信する保持側受信手段、この保持側受信手段によって受信された変調信号を復調信号に復調する保持側復調手段、この保持側復調手段によって復調された復調信号から得られる商品の識別情報を含む変調信号を生成する保持側変調手段およびこの保持側変調手段によって生成された変調信号を前記保持側信号電極から送信する保持側送信手段を介して、前記設定器からの商品の識別情報を前記タグ装置に転送し、
前記タグ装置は、当該タグ装置における、前記タグ側信号電極を通じて前記保持側信号電極からの変調信号を受信するタグ側受信手段およびこのタグ側受信手段によって受信された変調信号を復調信号に復調するタグ側復調手段を介して、そのタグ側復調手段によって復調された復調信号から得られる前記設定器からの商品の識別情報を当該タグ側記憶手段に記憶する
ことを特徴とする請求項１９記載の商品管理システム。
【請求項２４】
前記商品管理装置は、ネットワークを介して接続されるデータベースを前記管理側記憶手段として備えることを特徴とする請求項１、２、３、４、５、６、７、８、９、１０、１４または１６記載の商品管理システム。
【発明の詳細な説明】
【０００１】
【発明の属する技術分野】
本発明は、商品の出庫ないし出荷などを管理するための商品管理システムに関するものである。
【０００２】
【従来の技術】
従来、各種商品を納めた商品棚から作業者が必要な商品を取り出して出庫していた。あるいは、ベルトコンベアなどで搬送される商品カゴにタグ表示に合った商品を入れて出荷する場合もある。
【０００３】
なお、特許文献１には、データキャリアに取り付けられたメモリに物品管理情報を記憶し、物品を掴むことにより管理情報を電磁結合によって非接触で読み取るようにした書込／読出制御ユニット及び物品識別システムが記載されている。
【０００４】
【特許文献１】
特開平１０−１０７７０７号公報
【０００５】
【発明が解決しようとする課題】
上記のような出庫ないし出荷業務において、商品が誤って出庫ないし出荷されたり、見落としなどで本来注文先に送るべき商品が送られなかったりするといった誤出庫ないし誤出荷が発生する場合があった。
【０００６】
本発明は、上記事情に鑑みてなされたものであり、商品の誤出庫ないし誤出荷などの防止が可能となる商品管理システムを提供することを目的とする。
【０００７】
【課題を解決するための手段】
上記課題を解決するための請求項１記載の発明は、複数種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、前記商品管理装置は、前記複数種類の商品をそれぞれ保管する複数の保管スペース部と、これら複数の保管スペース部に保管される複数種類の商品の識別情報を記憶する管理側記憶手段と、前記複数の保管スペース部にそれぞれ設けられる複数の管理側信号電極と、前記管理側記憶手段に記憶されている識別情報を含む変調信号を生成する管理側変調手段と、この管理側変調手段によって生成された変調信号をこれに含まれる識別情報に対応する前記管理側信号電極から送信する管理側送信手段とを備え、前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、前記保持装置は、保持側信号電極と、接地電極と、当該保持装置を保持する利用者が前記管理側信号電極または前記タグ側信号電極にタッチしたとき、前記保持側信号電極を通じて前記管理側信号電極または前記タグ側信号電極からの変調信号を受信する保持側受信手段と、この保持側受信手段によって受信された変調信号を復調信号に復調する保持側復調手段と、この保持側復調手段によって復調された復調信号から、前記商品管理装置からの識別情報および前記タグ装置からの識別情報を得てこれらの照合を行う照合手段とを備えることを特徴する。
【０００８】
請求項２記載の発明は、複数種類の商品のうち１種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、前記商品管理装置は、自己が管理する商品の識別情報を記憶する管理側記憶手段と、管理側信号電極と、前記管理側記憶手段に記憶されている識別情報を含む変調信号を生成する管理側変調手段と、この管理側変調手段によって生成された変調信号を前記管理側信号電極から送信する管理側送信手段とを備え、前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、前記保持装置は、保持側信号電極と、接地電極と、当該保持装置を保持する利用者が前記管理側信号電極または前記タグ側信号電極にタッチしたとき、前記保持側信号電極を通じて前記管理側信号電極または前記タグ側信号電極からの変調信号を受信する保持側受信手段と、この保持側受信手段によって受信された変調信号を復調信号に復調する保持側復調手段と、この保持側復調手段によって復調された復調信号から、前記商品管理装置からの識別情報および前記タグ装置からの識別情報を得てこれらの照合を行う照合手段とを備えることを特徴する。
【０００９】
請求項３記載の発明は、請求項２記載の商品管理システムにおいて、前記商品管理装置および前記タグ装置をそれぞれ複数備えることを特徴する。
【００１０】
請求項４記載の発明は、請求項１から３のいずれかに記載の商品管理システムにおいて、前記保持装置は、前記照合手段の照合結果を示す情報を、当該保持装置を保持する利用者に報知する報知手段を備えることを特徴とする。
【００１１】
請求項５記載の発明は、請求項１から３のいずれかに記載の商品管理システムにおいて、前記保持装置は、前記照合手段の照合結果を含む変調信号を生成する保持側変調手段と、この保持側変調手段によって生成された変調信号を前記保持側信号電極から送信する保持側送信手段とを備え、前記商品管理装置は、前記保持装置を保持する利用者がタッチした前記管理側信号電極を通じて前記保持側信号電極からの変調信号を受信する管理側受信手段と、この管理側受信手段によって受信された変調信号を復調信号に復調する管理側復調手段と、この管理側復調手段によって復調された復調信号から、前記保持装置からの照合結果を得て、この照合結果を示す情報を前記利用者に対して報知する報知手段とを備えることを特徴とする。
【００１２】
請求項６記載の発明は、複数種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、前記保持装置は、保持側信号電極と、接地電極と、当該保持装置を保持する利用者が前記タグ側信号電極にタッチしたとき、前記保持側信号電極を通じて前記タグ側信号電極からの変調信号を受信する保持側受信手段と、この保持側受信手段によって受信された変調信号を復調信号に復調する保持側復調手段と、この保持側復調手段によって復調された復調信号から、前記タグ装置からの識別情報を得てこれを記憶する保持側記憶手段と、この保持側記憶手段に記憶されている識別情報を含む変調信号を生成する保持側変調手段と、この保持側変調手段によって生成された変調信号を前記保持側信号電極から送信する保持側送信手段とを備え、前記商品管理装置は、前記複数種類の商品をそれぞれ保管する複数の保管スペース部と、これら複数の保管スペース部に保管される複数種類の商品の識別情報を記憶する管理側記憶手段と、前記複数の保管スペース部にそれぞれ設けられる複数の管理側信号電極と、これら複数の管理側信号電極のうちいずれかの管理側信号電極に前記保持装置を保持する利用者がタッチしたとき、その管理側信号電極を通じて前記保持側信号電極からの変調信号を受信する管理側受信手段と、この管理側受信手段によって受信された変調信号を復調信号に復調する管理側復調手段と、この管理側復調手段によって復調された復調信号から、前記保持装置からの識別情報を得て、これと前記利用者がタッチした管理側信号電極に対応する識別情報との照合を行う照合手段とを備えることを特徴する。
【００１３】
請求項７記載の発明は、複数種類の商品のうち１種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、前記保持装置は、保持側信号電極と、接地電極と、当該保持装置を保持する利用者が前記タグ側信号電極にタッチしたとき、前記保持側信号電極を通じて前記タグ側信号電極からの変調信号を受信する保持側受信手段と、この保持側受信手段によって受信された変調信号を復調信号に復調する保持側復調手段と、この保持側復調手段によって復調された復調信号から、前記タグ装置からの識別情報を得てこれを記憶する保持側記憶手段と、この保持側記憶手段に記憶されている識別情報を含む変調信号を生成する保持側変調手段と、この保持側変調手段によって生成された変調信号を前記保持側信号電極から送信する保持側送信手段とを備え、前記商品管理装置は、自己が管理する商品の識別情報を記憶する管理側記憶手段と、管理側信号電極と、この管理側信号電極に前記保持装置を保持する利用者がタッチしたとき、その管理側信号電極を通じて前記保持側信号電極からの変調信号を受信する管理側受信手段と、この管理側受信手段によって受信された変調信号を復調信号に復調する管理側復調手段と、この管理側復調手段によって復調された復調信号から、前記保持装置からの識別情報を得て、これと前記管理側記憶手段に記憶されている識別情報との照合を行う照合手段とを備えることを特徴する。
【００１４】
請求項８記載の発明は、請求項７記載の商品管理システムにおいて、前記商品管理装置および前記タグ装置をそれぞれ複数備えることを特徴する。
【００１５】
請求項９記載の発明は、請求項６から８のいずれかに記載の商品管理システムにおいて、前記商品管理装置は、前記照合手段の照合結果を示す情報を、前記保持装置を保持する利用者に報知する報知手段を備えることを特徴とする。
【００１６】
請求項１０記載の発明は、請求項６から８のいずれかに記載の商品管理システムにおいて、前記商品管理装置は、前記照合手段の照合結果を含む変調信号を生成する管理側変調手段と、この管理側変調手段によって生成された変調信号を前記管理側信号電極から送信する管理側送信手段とを備え、前記保持装置は、前記保持側復調手段によって復調された復調信号から、前記商品管理装置からの照合結果を得て、この照合結果を示す情報を前記利用者に対して報知する報知手段とを備えることを特徴とする。
【００１７】
請求項１１記載の発明は、複数種類の商品のうち少なくとも１種類の商品に対応付けされるタグ装置と、利用者に保持されその利用者の人体を通じて前記タグ装置と通信を行う保持装置とにより構成される商品管理システムであって、前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、前記保持装置は、前記複数種類の商品のうち自己に対応付けされた少なくとも１種類の商品の識別情報を記憶する保持側記憶手段と、保持側信号電極と、接地電極と、当該保持装置を保持する利用者が前記タグ側信号電極にタッチしたとき、前記保持側信号電極を通じて前記タグ側信号電極からの変調信号を受信する保持側受信手段と、この保持側受信手段によって受信された変調信号を復調信号に復調する保持側復調手段と、この保持側復調手段によって復調された復調信号から、前記タグ装置からの識別情報を得て、これと前記保持側記憶手段に記憶されている識別情報との照合を行う照合手段とを備えることを特徴する。
【００１８】
請求項１２記載の発明は、請求項１１記載の商品管理システムにおいて、前記保持装置は、前記照合手段の照合結果を示す情報を、当該保持装置を保持する利用者に報知する報知手段を備えることを特徴とする。
【００１９】
請求項１３記載の発明は、請求項１１記載の商品管理システムにおいて、前記保持装置は、前記照合手段の照合結果を含む変調信号を生成する保持側変調手段と、この保持側変調手段によって生成された変調信号を前記保持側信号電極から送信する保持側送信手段とを備え、前記タグ装置は、前記保持装置を保持する利用者がタッチした前記タグ側信号電極を通じて前記保持側信号電極からの変調信号を受信するタグ側受信手段と、このタグ側受信手段によって受信された変調信号を復調信号に復調するタグ側復調手段と、このタグ側復調手段によって復調された復調信号から、前記保持装置からの照合結果を得て、この照合結果を示す情報を前記利用者に対して報知する報知手段とを備えることを特徴とする。
【００２０】
請求項１４記載の発明は、請求項５から１０のいずれかに記載の商品管理システムにおいて、前記商品管理装置によって管理される商品が保管される保管スペース部の開口を開閉自在に閉塞する開閉扉と、この開閉扉を施錠する電気錠とを備え、前記照合結果を示す情報が合致したことを示す情報であるとき、対応する開閉扉の電気錠を解錠する解錠手段を前記商品管理装置に設けたことを特徴とする。
【００２１】
請求項１５記載の発明は、請求項１２記載の商品管理システムにおいて、前記タグ装置は、当該タグ装置に対応付けされる商品を納めるための商品カゴと、この商品カゴの開口を開閉自在に閉塞する開閉扉と、この開閉扉を施錠する電気錠と、前記照合結果を示す情報が合致したことを示す情報であるとき、前記開閉扉の電気錠を解錠する解錠手段とを備えることを特徴とする。
【００２２】
請求項１６記載の発明は、請求項１、４、５、６、９、１０または１４記載の商品管理システムにおいて、前記保管スペース部の全部または一部は導電体であり、この導電体と前記商品管理装置の回路グランドとが電気的に接続されることを特徴とする。
【００２３】
請求項１７記載の発明は、請求項１１、１２、１３または１５記載の商品管理システムにおいて、前記タグ装置は、当該タグ装置に対応付けされる商品を納めるための商品カゴを備え、この商品カゴの全部または一部は導電体であり、この導電体と前記タグ装置の回路グランドとが電気的に接続されることを特徴とする。
【００２４】
請求項１８記載の発明は、請求項１、２、３、４、５、６、７、８、９、１０、１４または１６記載の商品管理システムにおいて、前記商品管理装置の管理側記憶手段または前記タグ装置のタグ側記憶手段に、その記憶手段用の商品の識別情報を記憶するための設定器を備えることを特徴とする。
【００２５】
請求項１９記載の発明は、請求項１１、１２、１３、１５または１７記載の商品管理システムにおいて、前記タグ装置のタグ側記憶手段に、その記憶手段用の商品の識別情報を記憶するための設定器を備えることを特徴とする。
【００２６】
請求項２０記載の発明は、請求項１８記載の商品管理システムにおいて、前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、前記商品管理装置は、当該商品管理装置における、前記管理側信号電極を通じて前記設定側信号電極からの変調信号を受信する管理側受信手段およびこの管理側受信手段によって受信された変調信号を復調信号に復調する管理側復調手段を介して、その管理側復調手段によって復調された復調信号から得られる商品の識別情報を当該管理側記憶手段に記憶し、前記タグ装置は、当該タグ装置における、前記タグ側信号電極を通じて前記設定側信号電極からの変調信号を受信するタグ側受信手段およびこのタグ側受信手段によって受信された変調信号を復調信号に復調するタグ側復調手段を介して、そのタグ側復調手段によって復調された復調信号から得られる商品の識別情報を当該タグ側記憶手段に記憶することを特徴とする。
【００２７】
請求項２１記載の発明は、請求項１９記載の商品管理システムにおいて、前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、前記タグ装置は、当該タグ装置における、前記タグ側信号電極を通じて前記設定側信号電極からの変調信号を受信するタグ側受信手段およびこのタグ側受信手段によって受信された変調信号を復調信号に復調するタグ側復調手段を介して、そのタグ側復調手段によって復調された復調信号から得られる商品の識別情報を当該タグ側記憶手段に記憶することを特徴とする。
【００２８】
請求項２２記載の発明は、請求項１８記載の商品管理システムにおいて、前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、前記保持装置は、当該保持装置における、前記保持側信号電極を通じて前記設定側信号電極からの変調信号を受信する保持側受信手段、この保持側受信手段によって受信された変調信号を復調信号に復調する保持側復調手段、この保持側復調手段によって復調された復調信号から得られる商品の識別情報を含む変調信号を生成する保持側変調手段およびこの保持側変調手段によって生成された変調信号を前記保持側信号電極から送信する保持側送信手段を介して、前記設定器からの商品の識別情報を前記商品管理装置または前記タグ装置に転送し、前記商品管理装置は、当該商品管理装置における、前記管理側信号電極を通じて前記保持側信号電極からの変調信号を受信する管理側受信手段およびこの管理側受信手段によって受信された変調信号を復調信号に復調する管理側復調手段を介して、その管理側復調手段によって復調された復調信号から得られる前記設定器からの商品の識別情報を当該管理側記憶手段に記憶し、前記タグ装置は、当該タグ装置における、前記タグ側信号電極を通じて前記保持側信号電極からの変調信号を受信するタグ側受信手段およびこのタグ側受信手段によって受信された変調信号を復調信号に復調するタグ側復調手段を介して、そのタグ側復調手段によって復調された復調信号から得られる前記設定器からの商品の識別情報を当該タグ側記憶手段に記憶することを特徴とする。
【００２９】
請求項２３記載の発明は、請求項１９記載の商品管理システムにおいて、前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、前記保持装置は、当該保持装置における、前記保持側信号電極を通じて前記設定側信号電極からの変調信号を受信する保持側受信手段、この保持側受信手段によって受信された変調信号を復調信号に復調する保持側復調手段、この保持側復調手段によって復調された復調信号から得られる商品の識別情報を含む変調信号を生成する保持側変調手段およびこの保持側変調手段によって生成された変調信号を前記保持側信号電極から送信する保持側送信手段を介して、前記設定器からの商品の識別情報を前記タグ装置に転送し、前記タグ装置は、当該タグ装置における、前記タグ側信号電極を通じて前記保持側信号電極からの変調信号を受信するタグ側受信手段およびこのタグ側受信手段によって受信された変調信号を復調信号に復調するタグ側復調手段を介して、そのタグ側復調手段によって復調された復調信号から得られる前記設定器からの商品の識別情報を当該タグ側記憶手段に記憶することを特徴とする。
【００３０】
請求項２４記載の発明は、請求項１、２、３、４、５、６、７、８、９、１０、１４または１６記載の商品管理システムにおいて、前記商品管理装置は、ネットワークを介して接続されるデータベースを前記管理側記憶手段として備えることを特徴とする。
【００３１】
【発明の実施の形態】
（第１実施形態）
図１は本発明に係る第１実施形態の商品管理システムの全体構成図、図２は図１中の商品管理装置の構成図、図３は図１中のタグ装置の構成図、図４は図１中の保持装置の構成図である。
【００３２】
第１実施形態の商品管理システムは、図１に示すように、複数種類の商品を管理する商品管理装置１と、複数種類の商品のうち少なくとも１種類の商品に対応付けされるタグ装置２と、利用者に保持（図では腕に装着）され、その利用者の人体を通じて商品管理装置１およびタグ装置２と通信を行う保持装置３とにより構成されている。
【００３３】
商品管理装置１は、図１および図２に示すように、機構的構成として、複数種類の商品をそれぞれ保管する複数（図１では２５）の保管庫（棚）１０を備え、下記の電気的構成部品を収納している。なお、電気的構成部品の回路グランドについては、商品管理装置１の保管庫１０を導電体としこれに回路グランドを接続する構成すれば、保管庫１０と利用者の人体との間に容量性結合が生じ、この容量性結合をもって通信可能となるので、上記回路グランドを必ずしも接地する必要はないが、ここでは後述の動作説明上、回路グランドは接地されているものとする。
【００３４】
上記電気的構成部品としては、複数の保管庫１０に保管される複数種類の商品の識別情報などを記憶する例えば読み書き可能な不揮発性メモリなどの記憶部１１０と、この記憶部１１０に対して情報の読出しまたは書込みをするコントローラ１００と、複数の保管庫１０にそれぞれ設けられる複数の信号電極１２０と、コントローラ１００から得られる情報（例えばコントローラ１００による読出しで得られる、記憶部１１０に記憶されている識別情報）を含む変調信号を生成する変調器１３０と、この変調器１３０によって生成された変調信号を、対応する信号電極１２０から（図２では信号電極１２０と回路グランドとを出力端子として）送信する信号送信器１３１と、コントローラ１００などに直流電力を供給する電池１９０とが具備されている。
【００３５】
ここで、コントローラ１００は、例えばマイコン（マイクロコンピュータ）などにより、商品管理装置１全般の制御などの処理を実行するように構成される。例えば、第１実施形態では、複数の保管庫１０の各々に対し、変調器１３０によって生成され識別情報を含む変調信号を、その識別情報に対応する信号電極１２０から送信する処理が順次周期的に実行される。
【００３６】
例えば、複数の信号電極１２０と信号送信器１３１との間にスイッチ（図示せず）を設け、コントローラ１００によって、そのスイッチにおける信号電極１２０側の複数の接点のいずれかを信号送信器１３１側の共通接点に順次周期的に切替接続する構成にすれば、各信号電極１２０と記憶部１１０に記憶されている各識別情報とを対応付けることができる。もちろん、信号電極１２０、信号送信器１３１および変調器１３０を、送信部として識別情報毎に複数組み設け、各送信部から識別情報を周期的に送信するようにしてもよい。
【００３７】
なお、このようにコントローラ主導で変調信号を周期的に送信する構成に限らず、タッチされた信号電極１２０から変調信号を送信するようにしてもよい。例えば、押時にオンになるプッシュスイッチを信号電極１２０の背面側に設け、信号電極１２０を介してそのプッシュスイッチの押操作が可能となるように信号電極１２０を移動自在とし、そしてプッシュスイッチからの押信号を変調信号の送信トリガとする構成にすればよい。この構成によれば、プッシュスイッチから送信トリガを受信することで、どの信号電極１２０がタッチされたのかをコントローラ１００が認識することができるので、上述のスイッチの接点を切り替えて、タッチされた信号電極１２０と信号送信器１３１とを接続することができ、タッチされた信号電極１２０から変調信号を送信することができる。また、この構成は信号送信の場合に限らず、信号受信の場合にも適用可能である。また、信号受信の場合には、複数の信号電極１２０と信号受信器との間に、信号電極番号を付加する手段を設け、受信された信号に、どの信号電極１２０からのものであるかを示す情報としてその信号電極の番号を付加して、コントローラに送られるようにしてもよい。
【００３８】
タグ装置２は、図１および図３に示すように、機構的構成として、商品カゴ２０と、この商品カゴ２０に取り付けられてその商品カゴ２０に入れるべき少なくとも１種類の商品のリストを提示するとともに、下記の電気的構成部品を収納するケース状のタグ部２１とを備えている。なお、電気的構成部品の回路グランドについては、商品カゴ２０を導電体としこれに回路グランドを接続する構成にすれば、商品カゴ２０と利用者の人体との間に容量性結合が生じ、この容量性結合をもって通信可能となるので、上記回路グランドを必ずしも接地する必要はないが、ここでは説明上、商品カゴ２０は導電体であって接地され、商品カゴ２０に回路グランドが接続されているものとする。
【００３９】
上記電気的構成部品としては、自己に対応付けされた少なくとも１種類の商品の識別情報などを記憶する例えば読み書き可能な不揮発性メモリなどの記憶部２１０と、この記憶部２１０に対して情報の読出しまたは書込みをするコントローラ２００と、信号電極２２０と、コントローラ２００から得られる情報（例えばコントローラ２００による読出しで得られる、記憶部２１０に記憶されている識別情報）を含む変調信号を生成する変調器２３０と、この変調器２３０によって生成された変調信号を信号電極２２０から（図３では信号電極２２０と回路グランドとを出力端子として）送信する信号送信器２３１と、信号電極２２０を通じて（図では信号電極２２０と回路グランドとを入力端子として）外部からの変調信号を受信する信号受信器２４１と、この信号受信器２４１によって受信された変調信号を復調信号に復調する復調器２４０と、信号電極２２０を信号送信器２３１または信号受信器２４１に適宜切替接続する信号切替部２５０と、コントローラ２００などに直流電力を供給する電池２９０とが具備されている。
【００４０】
ここで、コントローラ２００は、例えばマイコンなどにより、タグ装置２全般の制御などの処理を実行するように構成される。例えば、第１実施形態では、変調器２３０によって生成され識別情報を含む変調信号を信号電極２２０から送信する処理が周期的に実行される。また、信号送信器２３１を通して変調信号を送信するときに、信号切替部２５０を通じて信号電極２２０を信号送信器２３１に切替接続し、それ以外のときには信号電極２２０を信号受信器２４１に切替接続する処理が実行される。さらに、記憶部２１０に対して所望の識別情報の書込みを予め行う場合に、タグ装置２の各変調信号送信期間の間の受信期間に同期して図略の設定器からその所望の識別情報を含む変調信号が送信されたとき、信号受信器２４１により受信され復調器２４０によって復調された復調信号からその所望の識別情報を得て記憶部２１０に書き込む処理が実行される。なお、これに限らず、信号電極２２０を信号受信器２４１に強制的に切替接続するための操作スイッチを信号切替部２５０にさらに設けるようにしてもよい。あるいは、記憶部２１０は、交換自在のメモリカードなどの不揮発性半導体記憶素子でもよい。
【００４１】
保持装置３は、図１および図４に示すように、機構的構成としては、例えば腕に装着される腕時計形状に形成されて図略の筐体部およびベルト部を備え、その筐体部に下記の電気的構成部品を収納している。
【００４２】
上記電気的構成部品としては、情報を記憶する例えば読み書き可能な不揮発性メモリなどの記憶部３１０と、この記憶部３１０に対して情報の読出しまたは書込みをするコントローラ３００と、利用者の体に接触する信号電極３２０と、これとは離隔して設けられて回路グランドと接続され、利用者の体に接触する接地電極３２１と、信号電極３２０を通じて（図４では信号電極３２０と接地電極３２１とを入力端子として）外部からの変調信号を受信する信号受信器３４１と、この信号受信器３４１によって受信された変調信号を復調信号に復調する復調器３４０と、表示情報または音声情報などで報知を行う報知部３６０と、コントローラ３００などに直流電力を供給する電池３９０とが具備される。
【００４３】
ここで、コントローラ３００は、例えばマイコンなどにより、保持装置３全般の制御などの処理を実行するように構成される。例えば、第１実施形態では、コントローラ３００は照合機能３０１を有している。この照合機能３０１は、当該保持装置３を保持する利用者が信号電極１２０，２２０にタッチしたときに、信号電極３２０を通じて信号電極１２０，２２０からの変調信号が信号受信器３４１によって受信され、その変調信号が復調器３４０によって復調信号に復調された場合、その復調信号から、商品管理装置１からの識別情報およびタグ装置２からの識別情報を得てこれらの照合を行う。具体的には、復調器３４０によって復調された復調信号から、タグ装置２からの識別情報が得られると、この識別情報は保持部３１１ａに保持される。この後、復調器３４０によって復調された復調信号から、商品管理装置１からの識別情報が得られると、この識別情報は保持部３１１ｂに保持される。そして、保持部３１１ａに保持されている識別情報と保持部３１１ｂに保持されている識別情報とが一致しているか否かの照合が行われる。
【００４４】
また、コントローラ３００は報知処理機能３０２を有している。この報知処理機能３０２は、照合機能３０１による照合結果を示す情報を、報知部３６０を通じて当該保持装置３を保持する利用者に報知する処理を行う。例えば、一致している旨の照合結果が得られた場合には、ＬＥＤなどによる点灯表示（例えば緑色点灯）、液晶パネルなどによる文字表示または音声などでその旨が報知される。
【００４５】
次に、第１実施形態の商品管理システムの動作について説明する。保持装置３を保持する利用者がタグ装置２の信号電極２２０にタッチしたとき、この信号電極２２０からの変調信号が信号電極３２０を介して信号受信器３４１に受信される。このとき、タグ装置２の信号電極２２０および保持装置３の信号電極３２０は、信号電極２２０、利用者の人体、信号電極３２０の経路で電気的に接続される。タグ装置２の回路グランドおよび保持装置３の回路グランドは、タグ装置２の回路グランド、商品カゴ２０、グランド、利用者の人体、接地電極３２１、保持装置３の回路グランドの経路で電気的に接続される。なお、容量性結合による場合は、タグ装置２の回路グランド、（商品カゴ２０、）利用者の人体、接地電極３２１、保持装置３の回路グランドの経路で電気的に接続される。
【００４６】
信号受信器３４１によって受信された変調信号は復調器３４０によって復調信号に復調され、この復調信号から得られるタグ装置２からの識別情報が保持部３１１ａに保持される。
【００４７】
この後、保持装置３を保持する利用者が商品管理装置１における複数の信号電極１２０のうち該当する（と思った）信号電極１２０にタッチしたとき、この信号電極１２０からの変調信号が信号電極３２０を介して信号受信器３４１に受信される。このとき、商品管理装置１の信号電極１２０および保持装置３の信号電極３２０は、信号電極１２０、利用者の人体、信号電極３２０の経路で電気的に接続される。商品管理装置１の回路グランドおよび保持装置３の回路グランドは、商品管理装置１の回路グランド、グランド、利用者の人体、接地電極３２１、保持装置３の回路グランドの経路で電気的に接続される。なお、容量性結合による場合は、商品管理装置１の回路グランド、（保管庫１０、）利用者の人体、接地電極３２１、保持装置３の回路グランドの経路で電気的に接続される。
【００４８】
信号受信器３４１によって受信された変調信号は復調器３４０によって復調信号に復調され、この復調信号から得られる商品管理装置１からの識別情報が保持部３１１ｂに保持される。
【００４９】
この後、保持部３１１ａに保持されている識別情報と保持部３１１ｂに保持されている識別情報とが一致しているか否かの照合が照合機能３０１によって行われ、一致している場合には、点灯表示または音声などでその旨が報知される。一致していない場合には、その旨は積極的に報知されない（言い換えると消極的に報知される）。なお、一致していない場合も、例えば点滅表示、赤色表示または音声などでその旨が積極的に報知されるようにしてもよい。
【００５０】
以上、第１実施形態によれば、商品管理装置からの識別情報およびタグ装置からの識別情報の照合結果が得られるので、商品の誤出庫ないし誤出荷などの防止が可能となる。また、照合結果を示す情報が利用者に報知されるので、正確に出庫ないし出荷していることを認識しながら業務を遂行していくことができる。
【００５１】
なお、第１実施形態において、商品の識別情報とともにこの発信元の装置の識別情報を保持装置に取り込んで、照合に利用するようにしてもよい。この構成によれば、例えばタグ装置２の信号電極２２０に連続して２回以上タッチしても、装置の識別情報をもとに、商品の識別情報を対応する保持部に格納することができるので、照合を正確に実行することができる。あるいは、複数種類の商品の識別情報を２種類用意し、一方の種類の識別情報を商品管理装置１に割り当て、他方の種類の識別情報をタグ装置２に割り当て、識別情報対応テーブルをもとに照合を行うようにしてもよいが、情報量が多大となるので、前者の方が望ましい。要するに、複数種類の商品の識別情報に加えて別の識別情報を使用する構成にすれば、照合を正確に実行することができる。
【００５２】
（第２実施形態）
図５は本発明に係る第２実施形態の商品管理システムにおける保持装置の構成図、図６は同商品管理システムにおける商品管理装置の構成図である。
【００５３】
第２実施形態の商品管理システムは、タグ装置２を第１実施形態と同様に備えているほか、第１実施形態との相違点として、図５，図６に示すように、保持装置３ａと、商品管理装置１ａとを備えている。
【００５４】
保持装置３ａは、第１実施形態との相違点として、図５に示すように、後述のコントローラ３００ａから得られる情報を含む変調信号を生成する変調器３３０と、この変調器３３０によって生成された変調信号を、信号電極３２０から（信号電極３２０と接地電極３２１とを出力端子として）送信する信号送信器３３１と、信号電極３２０を信号送信器３３１または信号受信器３４１に適宜切替接続する信号切替部３５０と、接地電極３２１と回路グランドとの間に介在し送受信時にそれぞれオフオンとなるスイッチ３５１とをさらに備えているほか、コントローラ３００に代えてコントローラ３００ａを備えている。
【００５５】
コントローラ３００ａは、第１実施形態との相違点として、照合機能３０１による照合結果を含む情報を変調器３３０に渡し、この変調器３３０によってその照合結果を含む変調信号を生成させる処理と、信号切替部３５０およびスイッチ３５１に対する切替制御とをさらに実行する。切替制御については、第１実施形態と同様に、信号送信器３３１を通して変調信号を送信するときに、信号切替部３５０を通じて信号電極３２０を信号送信器３３１に切替接続するとともに、スイッチ３５１をオフにし、それ以外のときには信号電極３２０を信号受信器３４１に切替接続するとともに、スイッチ３５１をオンにする処理が実行される。
【００５６】
商品管理装置１ａは、第１実施形態との相違点として、図６に示すように、信号電極１２０を通じて（図６では信号電極１２０と回路グランドとを入力端子として）外部からの変調信号を受信する信号受信器１４１と、この信号受信器１４１によって受信された変調信号を復調信号に復調する復調器１４０と、信号電極１２０を信号送信器１３１または信号受信器１４１に適宜切替接続する信号切替部１５０と、表示情報または音声情報などで報知を行う報知部１６０とをさらに備えているほか、コントローラ１００に代えてコントローラ１００ａを備えている。
【００５７】
コントローラ１００ａは、第１実施形態との相違点として、保持装置３ａを保持する利用者が信号電極１２０にタッチしたときに、信号電極１２０を通じて信号電極３２０からの変調信号が信号受信器１４１によって受信され、その変調信号が復調器１４０によって復調信号に復調された場合、その復調信号から、保持装置３ａからの照合結果を得て、報知部１６０を通じて、その照合結果を示す情報を利用者に対して報知する処理をさらに実行する。
【００５８】
このように構成される第２実施形態の商品管理システムでは、保持装置３ａを保持する利用者がタグ装置２の信号電極２２０にタッチした後、その利用者が商品管理装置１ａにおける複数の信号電極１２０のうち該当する信号電極１２０にタッチしたとき、商品管理装置１ａから保持装置３ａへの識別情報の送信と、保持装置３ａでの照合と、保持装置３ａから商品管理装置１ａへの照合結果の送信とが瞬時に行われる。この後、商品管理装置１ａによって照合結果に応じた報知が報知部１６０を通じて実行される。
【００５９】
以上、第２実施形態によれば、照合結果を示す情報が利用者に報知されるので、正確に出庫ないし出荷していることを認識しながら業務を遂行していくことができる。
【００６０】
（第３実施形態）
図７は本発明に係る第３実施形態の商品管理システムにおける商品管理装置の斜視図、図８は同商品管理装置を側方から見た図、図９は同商品管理装置の構成図である。
【００６１】
第３実施形態の商品管理システムは、タグ装置２と、保持装置３ａとを第２実施形態と同様に備えているほか、第２実施形態との相違点として、図７，図８に示すような商品管理装置１ａ’を複数備えている。なお、図７，図８中の４は商品を収納するケースである。
【００６２】
商品管理装置１ａ’は、第２実施形態との相違点として、商品を保管する保管庫（棚）１０ａに取り付けられて使用されるものであり、機構的構成として、厚み寸法よりも幅寸法の大きなスラブ状に形成された筐体１１と、この筐体１１から延設されて保管庫（棚）１０ａの板状縁部を挟み込む断面フック状の挟み部１２とを備え、下記の電気的構成部品を筐体１１に収納している。なお、電気的構成部品の回路グランドについては、筐体１１および挟み部１２のうち例えば挟み部１２とより好適には保管庫１０ａとを導電体とし、これらに回路グランドを電気的に接続する構成にすれば、利用者の人体に対する容量性結合をもって通信可能となるので、上記回路グランドを必ずしも接地する必要はないが、ここでは、挟み部１２および保管庫１０ａが導電体であり、これらに回路グランドが接続され、保管庫１０ａが接地されているものとする。
【００６３】
上記電気的構成部品としては、図９に示すように、自己が管理する商品の識別情報などを記憶する例えば読み書き可能な不揮発性メモリなどの記憶部１１０’と、この記憶部１１０’に対して情報の読出しまたは書込みをするコントローラ１００ａ’と、信号電極１２０と、コントローラ１００ａ’から得られる情報（例えばコントローラ１００ａ’による読出しで得られる、記憶部１１０’に記憶されている識別情報）を含む変調信号を生成する変調器１３０と、この変調器１３０によって生成された変調信号を信号電極１２０から送信する信号送信器１３１と、信号電極１２０を通じて外部からの変調信号を受信する信号受信器１４１と、この信号受信器１４１によって受信された変調信号を復調信号に復調する復調器１４０と、信号電極１２０を信号送信器１３１または信号受信器１４１に適宜切替接続する信号切替部１５０と、表示情報または音声情報などで報知を行う報知部１６０と、コントローラ１００ａ’などに直流電力を供給する電池１９０とが具備されている。
【００６４】
ここで、コントローラ１００ａ’は、例えばマイコンなどにより、商品管理装置１ａ’全般の制御などの処理を実行するように構成される。例えば、第３実施形態では、変調器１３０によって生成され識別情報を含む変調信号を信号電極１２０から送信する処理が周期的に実行される。また、保持装置３ａを保持する利用者が信号電極１２０にタッチしたときに、信号電極１２０を通じて信号電極３２０からの変調信号が信号受信器１４１によって受信され、その変調信号が復調器１４０によって復調信号に復調された場合、その復調信号から、保持装置３ａからの照合結果を得て、報知部１６０を通じて、その照合結果を示す情報を利用者に対して報知する処理がさらに実行される。なお、図７の例では、報知部１６０にＬＥＤが使用される。
【００６５】
このように構成される第３実施形態の商品管理システムでは、保持装置３ａを保持する利用者がタグ装置２の信号電極２２０にタッチした後、その利用者が複数の商品管理装置１ａ’のうち該当する商品管理装置１ａ’における信号電極１２０にタッチしたとき、商品管理装置１ａ’から保持装置３ａへの識別情報の送信と、保持装置３ａでの照合と、保持装置３ａから商品管理装置１ａ’への照合結果の送信とが瞬時に行われる。この後、商品管理装置１ａ’によって照合結果に応じた報知が報知部１６０を通じて実行される。
【００６６】
以上、第３実施形態によれば、照合結果を示す情報が利用者に報知されるので、正確に出庫ないし出荷していることを認識しながら業務を遂行していくことができるほか、配線が不要になるという格別な効果が得られる。
【００６７】
なお、第３実施形態では、第２実施形態に対応した個別の商品管理装置１ａ’が使用される構成になっているが、第１実施形態に対応した個別の商品管理装置が使用される構成でもよい。すなわち、自己が管理する商品の識別情報を記憶する記憶部１１０’と、信号電極１２０と、記憶部１１０’に記憶されている識別情報を含む変調信号を生成する変調器１３０と、この変調器１３０によって生成された変調信号を信号電極１２０から送信する信号送信器１３１と、変調器１３０によって生成され識別情報を含む変調信号を信号電極１２０から送信する処理を周期的に実行するコントローラ１００ａ’とを備える構成でもよい。この構成によれば、第１実施形態と同様の効果が得られるほか、配線が不要になるという格別な効果が得られる。
【００６８】
（第４実施形態）
図１０は本発明に係る第４実施形態の商品管理システムの全体構成図、図１１は図１０中の保持装置の構成図、図１２は図１１中の商品管理装置の構成図である。
【００６９】
第４実施形態の商品管理システムは、図１０に示すように、タグ装置２を第１実施形態と同様に備えているほか、第１実施形態との相違点として、保持装置３ｂと、商品管理装置１ｂとを備えている。
【００７０】
保持装置３ｂは、第１実施形態との相違点として、図１１に示すように、報知部３６０を備えず、後述のコントローラ３００ｂから得られる情報を含む変調信号を生成する変調器３３０と、この変調器３３０によって生成された変調信号を、信号電極３２０から（信号電極３２０と接地電極３２１とを出力端子として）送信する信号送信器３３１と、信号電極３２０を信号送信器３３１または信号受信器３４１に適宜切替接続する信号切替部３５０と、接地電極３２１と回路グランドとの間に介在し送受信時にそれぞれオフオンとなるスイッチ３５１とをさらに備えているほか、コントローラ３００に代えてコントローラ３００ｂを備えている。
【００７１】
コントローラ３００ｂは、第１実施形態との相違点として、照合機能３０１を有さず、情報の転送処理を行うとともに信号切替部３５０およびスイッチ３５１に対する切替制御を行う転送切替処理機能を有している。この転送切替処理機能は、初期状態時、図示しないリセットボタンの押下時、または商品管理装置１ｂからリセット信号の受信時などのデフォルト状態時では、信号電極３２０を信号受信器３４１に切替接続するとともに、スイッチ３５１をオンにする処理を実行する。また、当該保持装置３ｂを保持する利用者がタグ装置２の信号電極２２０にタッチしたときに、信号電極３２０を通じて信号電極２２０からの変調信号が信号受信器３４１によって受信され、その変調信号が復調器３４０によって復調信号に復調された場合、その復調信号から得られる、タグ装置２からの識別情報を記憶部３１０に記憶し、次いで、信号電極３２０を信号送信器３３１に切替接続するとともに、スイッチ３５１をオフにし、周期的に、記憶部３１０に記憶されている識別情報を変調器３３０に渡してその識別情報を含む変調信号を生成させる処理が実行される。なお、受信可能にするべく、信号電極３２０を信号送信器３３１または信号受信器３４１に周期的に切替接続するようにしてもよい。
【００７２】
商品管理装置１ｂは、機構的には第１実施形態と同様であるが、電気的には第１実施形態と相違している。すなわち、図１２に示すように、信号電極１２０と、記憶部１１０と、電池１９０とが第１実施形態と同様に具備されているほか、第１実施形態との相違点として、信号電極１２０を通じて外部からの変調信号を受信する信号受信器１４１と、この信号受信器１４１によって受信された変調信号を復調信号に復調する復調器１４０と、表示情報または音声情報などで報知を行う報知部１６０とが具備されているほか、コントローラ１００に代えてコントローラ１００ｂが具備されている。
【００７３】
コントローラ１００ｂは、例えば保持部１１１ａ，１１１ｂを内蔵するマイコンなどにより、商品管理装置１ｂ全般の制御などの処理を実行するように構成される。例えば、第４実施形態では、コントローラ１００ｂは照合機能１０１を有している。この照合機能１０１は、複数の信号電極１２０のうちいずれかの信号電極１２０に保持装置３ｂを保持する利用者がタッチしたときに、その信号電極１２０を通じて信号電極３２０からの変調信号が信号受信器１４１によって受信され、その変調信号が復調器１４０によって復調された場合、その復調信号から、保持装置３ｂからの識別情報を得て、これとその利用者がタッチした信号電極１２０に対応する識別情報との照合を行う。具体的には、保持装置３ｂからの識別情報は保持部１１１ａに保持され、利用者がタッチした信号電極１２０に対応する識別情報は保持部１１１ｂに保持される。そして、保持部１１１ａに保持されている識別情報と保持部１１１ｂに保持されている識別情報とが一致しているか否かの照合が行われる。
【００７４】
また、コントローラ１００ｂは報知処理機能１０２を有している。この報知処理機能１０２は、照合機能１０１による照合結果を示す情報を、報知部１６０を通じて保持装置３ｂを保持する利用者に報知する処理を行う。なお、保持装置３ｂから識別信号を受信した後、上記リセット信号を保持装置３ｂに送信するようにしてもよい。
【００７５】
このように構成される商品管理システムでは、保持装置３ｂを保持する利用者がタグ装置２の信号電極２２０にタッチした後、その利用者が商品管理装置１ｂにおける複数の信号電極１２０のうち該当する信号電極１２０にタッチしたとき、保持装置３ｂから商品管理装置１ｂにタグ装置２の識別情報が送信される。
【００７６】
この後、商品管理装置１ｂにおいて、タグ装置２の識別情報は保持部１１１ａに保持されるとともに、利用者がタッチした信号電極１２０に対応する識別情報は保持部１１１ｂに保持される。そして、保持部１１１ａに保持されている識別情報と保持部１１１ｂに保持されている識別情報とが一致しているか否かの照合が照合機能１０１によって行われ、その照合結果に応じた報知が報知部１６０を通じて実行される。
【００７７】
以上、第４実施形態によれば、照合結果を示す情報が利用者に報知されるので、正確に出庫ないし出荷していることを認識しながら業務を遂行していくことができる。
【００７８】
（第５実施形態）
図１３は本発明に係る第５実施形態の商品管理システムにおける商品管理装置の構成図、図１４は同商品管理システムにおける保持装置の構成図である。
【００７９】
第５実施形態の商品管理システムは、タグ装置２を第４実施形態と同様に備えているほか、第４実施形態との相違点として、図１３，図１４に示すように、商品管理装置１ｃと、保持装置３ｃとを備えている。
【００８０】
商品管理装置１ｃは、第４実施形態との相違点として、図１３に示すように、後述のコントローラ１００ｃから得られる情報を含む変調信号を生成する変調器１３０と、この変調器１３０によって生成された変調信号を信号電極１２０から送信する信号送信器１３１と、信号電極１２０を信号送信器１３１または信号受信器１４１に適宜切替接続する信号切替部１５０とをさらに備えているほか、コントローラ１００ｂに代えてコントローラ１００ｃを備えている。
【００８１】
コントローラ１００ｃは、第４実施形態との相違点として、照合機能１０１による照合結果を含む情報を変調器１３０に渡し、この変調器１３０によってその照合結果を含む変調信号を生成させる処理と、信号切替部１５０に対する切替制御とをさらに実行する。切替制御については、信号送信器１３１を通して変調信号を送信するときに、信号切替部１５０を通じて信号電極１２０を信号送信器１３１に切替接続し、それ以外のときには信号電極１２０を信号受信器１４１に切替接続する処理が実行される。
【００８２】
保持装置３ｃは、第４実施形態との相違点として、図１４に示すように、表示情報または音声情報などで報知を行う報知部３６０をさらに備えているほか、コントローラ３００ｂに代えてコントローラ３００ｃを備えている。
【００８３】
コントローラ３００ｃは、第４実施形態との相違点として、保持装置３ｃを保持する利用者が信号電極１２０にタッチしたときに、信号電極３２０を通じて信号電極１２０からの変調信号が信号受信器３４１によって受信され、その変調信号が復調器３４０によって復調信号に復調された場合、その復調信号から、商品管理装置１ｃからの照合結果を得て、報知部３６０を通じて、その照合結果を示す情報を利用者に対して報知する処理をさらに実行する。
【００８４】
このように構成される商品管理システムでは、保持装置３ｃを保持する利用者がタグ装置２の信号電極２２０にタッチした後、その利用者が商品管理装置１ｃにおける複数の信号電極１２０のうち該当する信号電極１２０にタッチしたとき、保持装置３ｃから商品管理装置１ｃへの識別情報の送信と、商品管理装置１ｃでの照合と、商品管理装置１ｃから保持装置３ｃへの照合結果の送信とが瞬時に行われる。この後、保持装置３ｃによって照合結果に応じた報知が報知部３６０を通じて実行される。
【００８５】
以上、第５実施形態によれば、照合結果を示す情報が利用者に報知されるので、正確に出庫ないし出荷していることを認識しながら業務を遂行していくことができる。
【００８６】
（第６実施形態）
図１５は本発明に係る第６実施形態の商品管理システムにおける商品管理装置の斜視図、図１６，図１７は同商品管理装置を側方から見た図、図１８は同商品管理装置の構成図である。
【００８７】
第６実施形態の商品管理システムは、タグ装置２と、保持装置３ｂとを第４実施形態と同様に備えているほか、第４実施形態との相違点として、図１５〜図１７に示すような商品管理装置１ｂ’を複数備えている。
【００８８】
商品管理装置１ｂ’は、第４実施形態との相違点として、商品を保管する保管庫（棚）１０ａに取り付けられて使用されるものであり、機構的構成として、厚み寸法よりも幅寸法の大きなスラブ状に形成された筐体１１ａと、この筐体１１ａから延設された断面Ｌ字状の載置部１２ａとを備え、下記の電気的構成部品を筐体１１ａに収納している。なお、電気的構成部品の回路グランドについては、筐体１１ａおよび載置部１２ａのうち例えば載置部１２ａとより好適には保管庫１０ａとを導電体とし、これらに回路グランドを電気的に接続する構成にすれば、利用者の人体に対する容量性結合をもって通信可能となるので、上記回路グランドを必ずしも接地する必要はないが、ここでは、載置部１２ａおよび保管庫１０ａが導電体であり、これらに回路グランドが接続され、保管庫１０ａが接地されているものとする。また、図１６，図１７において、筐体１１ａと載置部１２ａとの接合状態が相違しているが、ともに載置部１２ａ上にケース４が載置される構造になっている。
【００８９】
上記電気的構成部品としては、図１８に示すように、自己が管理する商品の識別情報などを記憶する例えば読み書き可能な不揮発性メモリなどの記憶部１１０’と、この記憶部１１０’に対して情報の読出しまたは書込みをするコントローラ１００ｂ’と、信号電極１２０と、信号電極１２０を通じて外部からの変調信号を受信する信号受信器１４１と、この信号受信器１４１によって受信された変調信号を復調信号に復調する復調器１４０と、表示情報または音声情報などで報知を行う報知部１６０と、コントローラ１００ａ’などに直流電力を供給する電池１９０とが具備されている。
【００９０】
コントローラ１００ｂ’は、例えば保持部１１１ａ，１１１ｂを内蔵するマイコンなどにより、商品管理装置１ｂ’全般の制御などの処理を実行するように構成される。例えば、第６実施形態では、コントローラ１００ｂ’は照合機能１０１を有している。この照合機能１０１は、信号電極１２０に保持装置３ｂを保持する利用者がタッチしたときに、その信号電極１２０を通じて信号電極３２０からの変調信号が信号受信器１４１によって受信され、その変調信号が復調器１４０によって復調された場合、その復調信号から、保持装置３ｂからの識別情報を得て、これと記憶部１１０’に記憶されている識別情報との照合を行う。具体的には、保持装置３ｂからの識別情報は保持部１１１ａに保持され、記憶部１１０’に記憶されている識別情報は保持部１１１ｂに保持される。そして、保持部１１１ａに保持されている識別情報と保持部１１１ｂに保持されている識別情報とが一致しているか否かの照合が行われる。
【００９１】
また、コントローラ１００ｂ’は報知処理機能１０２を有している。この報知処理機能１０２は、照合機能１０１による照合結果を示す情報を、報知部１６０を通じて保持装置３ｂを保持する利用者に報知する処理を行う。
【００９２】
このように構成される商品管理システムでは、保持装置３ｂを保持する利用者がタグ装置２の信号電極２２０にタッチした後、その利用者が複数の商品管理装置１ｂ’のうち該当する商品管理装置１ｂ’における信号電極１２０にタッチしたとき、保持装置３ｂから商品管理装置１ｂ’にタグ装置２の識別情報が送信される。
【００９３】
この後、商品管理装置１ｂ’において、タグ装置２の識別情報は保持部１１１ａに保持されるとともに、記憶部１１０’に記憶されている識別情報は保持部１１１ｂに保持される。そして、保持部１１１ａに保持されている識別情報と保持部１１１ｂに保持されている識別情報とが一致しているか否かの照合が行われ、その照合結果に応じた報知が報知部１６０を通じて実行される。
【００９４】
以上、第６実施形態によれば、照合結果を示す情報が利用者に報知されるので、正確に出庫ないし出荷していることを認識しながら業務を遂行していくことができるほか、配線が不要になるという格別な効果が得られる。
【００９５】
なお、第６実施形態では、第４実施形態に対応した個別の商品管理装置１ｂ’が使用される構成になっているが、第５実施形態に対応した個別の商品管理装置が使用される構成でもよい。すなわち、変調器１３０と、信号送信器１３１と、信号切替部１５０とをさらに備えるとともに、照合機能１０１による照合結果を含む情報を変調器１３０に渡し、この変調器１３０によってその照合結果を含む変調信号を生成させる処理と、信号切替部１５０に対する切替制御とをさらに実行するコントローラを備える構成でもよい。この構成でも、正確に出庫ないし出荷していることを認識しながら業務を遂行していくことができるほか、配線が不要になるという格別な効果が得られる。
【００９６】
（第７実施形態）
図１９は本発明に係る第７実施形態の商品管理システムの全体構成図、図２０は図１９中のタグ装置の構成図、図２１は図１９中の保持装置の構成図である。
【００９７】
第７実施形態の商品管理システムは、図１９に示すように、複数種類の商品のうち少なくとも１種類の商品に対応付けされるタグ装置２ａと、利用者に保持（図では腕に装着）され、その利用者の人体を通じてタグ装置２ａと通信を行う保持装置３ｄとにより構成されている。
【００９８】
タグ装置２ａは、図１９および図２０に示すように、機構的構成として、商品カゴ２０と、この商品カゴ２０に取り付けられてその商品カゴ２０に入れるべき少なくとも１種類の商品のリストを提示するとともに、下記の電気的構成部品を収納するケース状のタグ部２１とを備えている。なお、電気的構成部品の回路グランドについては、商品カゴ２０を導電体としこれに回路グランドを接続する構成にすれば、商品カゴ２０と利用者の人体との間に容量性結合が生じ、この容量性結合をもって通信可能となるので、上記回路グランドを必ずしも接地する必要はないが、ここでは、商品カゴ２０は導電体であってベルトコンベア５を介して接地され、商品カゴ２０に回路グランドが接続されているものとする。
【００９９】
上記電気的構成部品としては、自己に対応付けされた少なくとも１種類の商品の識別情報などを記憶する例えば読み書き可能な不揮発性メモリなどの記憶部２１０と、この記憶部２１０に対して情報の読出しまたは書込みをするコントローラ２００ａと、信号電極２２０と、コントローラ２００ａから得られる情報（例えばコントローラ２００ａによる読出しで得られる、記憶部２１０に記憶されている識別情報）を含む変調信号を生成する変調器２３０と、この変調器２３０によって生成された変調信号を、信号電極２２０から（信号電極２２０と回路グランドとを出力端子として）送信する信号送信器２３１と、コントローラ２００ａなどに直流電力を供給する電池２９０とが具備されている。
【０１００】
ここで、コントローラ２００ａは、例えばマイコンなどにより、タグ装置２ａ全般の制御などの処理を実行するように構成される。例えば、第５実施形態では、変調器２３０によって生成され識別情報を含む変調信号を信号電極２２０から送信する処理が周期的に実行される。
【０１０１】
保持装置３ｄは、図１９および図２１に示すように、機構的構成としては、例えば腕に装着される腕時計形状に形成されて図略の筐体部およびベルト部を備え、その筐体部に下記の電気的構成部品を収納している。
【０１０２】
上記電気的構成部品としては、複数種類の商品のうち自己に対応付けされた少なくとも１種類の商品の識別情報などを記憶する例えば読み書き可能な不揮発性メモリなどの記憶部３１０ａと、この記憶部３１０ａに対して情報の読出しまたは書込みをするコントローラ３００ｄと、利用者の体に接触する信号電極３２０と、これとは離隔して設けられて回路グランドと接続され、利用者の体に接触する接地電極３２１と、信号電極３２０を通じて（信号電極３２０と接地電極３２１とを入力端子として）外部からの変調信号を受信する信号受信器３４１と、この信号受信器３４１によって受信された変調信号を復調信号に復調する復調器３４０と、表示情報または音声情報などで報知を行う報知部３６０と、コントローラ３００ｄなどに直流電力を供給する電池３９０とが具備される。
【０１０３】
ここで、コントローラ３００ｄは、例えばマイコンなどにより、保持装置３ｄ全般の制御などの処理を実行するように構成される。例えば、コントローラ３００ｄは照合機能３０１を有している。この照合機能３０１は、当該保持装置３ｄを保持する利用者が信号電極２２０にタッチしたときに、信号電極３２０を通じて信号電極２２０からの変調信号が信号受信器３４１によって受信され、その変調信号が復調器３４０によって復調信号に復調された場合、その復調信号から、タグ装置２ａからの識別情報を得て、これと記憶部３１０ａに記憶されている識別情報との照合を行う。具体的には、復調器３４０によって復調された復調信号から、タグ装置２ａからの識別情報が得られると、この識別情報は保持部３１１ａに保持される。また、保持装置３ｄの起動時、記憶部３１０ａに記憶されている識別情報は保持部３１１ｂに保持される。そして、保持部３１１ａに保持されている識別情報と保持部３１１ｂに保持されている識別情報とが一致しているか否かの照合が行われる。
【０１０４】
また、コントローラ３００ｄは報知処理機能３０２を有している。この報知処理機能３０２は、第１実施形態と同様に、照合機能３０１による照合結果を示す情報を、報知部３６０を通じて当該保持装置３ｄを保持する利用者に報知する処理を行う。
【０１０５】
このように構成される商品管理システムでは、ベルトコンベヤ５上を流れる商品カゴ２０が正面に来たとき、その商品カゴ２０に取り付けられたタグ装置２ａの信号電極２２０に保持装置３ｄを保持する利用者がタッチすると、以下の処理が瞬時に実行される。すなわち、信号電極３２０を通じて信号電極２２０からの変調信号が信号受信器３４１によって受信される。そして、その変調信号が復調器３４０によって復調信号に復調され、その復調信号から得られるタグ装置２ａからの識別情報が保持部３１１ａに保持される。続いて、起動時に保持部３１１ｂに保持された、記憶部３１０ａに記憶されている識別情報と保持部３１１ａに保持されたタグ装置２ａからの識別情報との照合が行われる。続いて、その照合結果を示す情報が、報知部３６０を通じて当該保持装置３ｄを保持する利用者に報知される。
【０１０６】
これにより、その信号電極２２０にタッチした利用者は、例えば一致している旨の報知が点灯表示または音声などでなされると、タグ部２１の商品のリストを読まなくても、あるいは商品リストを読み誤っても間違いなく、その利用者が担当する商品をその商品カゴ２０に入れれば良いことが認識される。これに対して、一致していない旨の報知が例えば点灯表示または音声などでなされると、担当する商品をその商品カゴ２０に入れてはいけないことが認識される。
【０１０７】
以上、第７実施形態によれば、照合結果を示す情報が利用者に報知されるので、正確に出庫ないし出荷していることを認識しながら業務を遂行していくことができる。
【０１０８】
（第８実施形態）
図２２は本発明に係る第８実施形態の商品管理システムにおける保持装置の構成図、図２３は同商品管理システムにおけるタグ装置の構成図である。
【０１０９】
第８実施形態の商品管理システムは、図２２，図２３に示すように、保持装置３ｅと、タグ装置２ｂとを備え、タグ装置２ｂが報知を行う点で第７実施形態と相違している。
【０１１０】
保持装置３ｅは、第７実施形態との相違点として、図２２に示すように、報知部３６０を具備せず、後述のコントローラ３００ｅから得られる情報を含む変調信号を生成する変調器３３０と、この変調器３３０によって生成された変調信号を、信号電極３２０から（信号電極３２０と接地電極３２１とを出力端子として）送信する信号送信器３３１と、信号電極３２０を信号送信器３３１または信号受信器３４１に適宜切替接続する信号切替部３５０と、接地電極３２１と回路グランドとの間に介在し送受信時にそれぞれオフオンとなるスイッチ３５１とをさらに備えているほか、コントローラ３００ｄに代えてコントローラ３００ｅを備えている。
【０１１１】
コントローラ３００ｅは、第７実施形態との相違点として、照合機能３０１による照合結果を含む情報を変調器３３０に渡し、この変調器３３０によってその照合結果を含む変調信号を生成させる処理と、信号切替部３５０およびスイッチ３５１に対する切替制御とをさらに実行する。切替制御については、信号送信器３３１を通して変調信号を送信するときに、信号切替部３５０を通じて信号電極３２０を信号送信器３３１に切替接続するとともに、スイッチ３５１をオフにし、それ以外のときには信号電極３２０を信号受信器３４１に切替接続するとともに、スイッチ３５１をオンにする処理が実行される。
【０１１２】
このように構成される商品管理システムでは、保持装置３ｅを保持する利用者がタグ装置２ｂの信号電極２２０にタッチしたとき、タグ装置２ｂから保持装置３ｅへの識別情報の送信と、保持装置３ｅでの照合と、保持装置３ｅからタグ装置２ｂへの照合結果の送信とが瞬時に行われる。この後、タグ装置２ｂによって照合結果に応じた報知が報知部２６０を通じて実行される。
【０１１３】
以上、第６実施形態によれば、照合結果を示す情報が利用者に報知されるので、正確に出庫ないし出荷していることを認識しながら業務を遂行していくことができる。
【０１１４】
（第９実施形態）
図２４は本発明に係る第９実施形態の商品管理システムにおける商品管理装置の一部構成図である。
【０１１５】
第９実施形態の商品管理システムは、タグ装置２と、保持装置３ｃとを第５実施形態と同様に備えているほか、第５実施形態との相違点として、図２４に示すように、商品管理装置１ｄを備えている。
【０１１６】
商品管理装置１ｄは、第５実施形態との相違点として、各保管庫１２０の開口を開閉自在に閉塞する開閉扉１２１と、この開閉扉１２１を施錠する例えばオートロック式の電気錠１７０とをさらに備えるほか、コントローラ１００ｃに代えてコントローラ１００ｄを備えている。
【０１１７】
コントローラ１００ｄは、第５実施形態との相違点として、照合機能１０１による照合結果を示す情報が合致したことを示す情報であるとき、複数の開閉扉１２１のうち、保持装置３ｃを保持する利用者がタッチした信号電極１２０に対応する開閉扉１２１の電気錠１７０を解錠する解錠処理機能１０３をさらに有している。
【０１１８】
このように構成される商品管理システムでは、照合結果を示す情報が合致したことを示す情報であるとき、対応する開閉扉１２１の電気錠１７０が解錠されるから、保管庫１０から該当する識別情報の商品を取り出すことができる。これに対して、照合結果を示す情報が合致したことを示す情報でないとき、対応する開閉扉１２１の電気錠１７０が解錠されないから、誤った商品が取り出されるのをより好適に防止することができる。
【０１１９】
なお、第９実施形態では、電気錠１７０等を第５実施形態に適用した構成になっているが、これに限らず、電気錠１７０等を他の実施形態に適用するようにしてもよい。
【０１２０】
また、第９実施形態のロックシステムは商品管理装置に適用される構成になっているが、これに限らず、タグ装置に適用してもよい。この場合、商品カゴの開口を開閉自在に閉塞する開閉扉と、この開閉扉を施錠する電気錠と、照合結果を示す情報が合致したことを示す情報であるとき、開閉扉の電気錠を解錠する解錠処理機能を有したコントローラとが具備されることになる。
【０１２１】
さらに、ロックシステムを持つ装置は、照合機能を必ずしも有している必要はなく、照合結果を受信する機能を有している場合にも適用することができることは言うまでもない。
【０１２２】
（第１０実施形態）
図２５は本発明に係る第１０実施形態の商品管理システムにおける商品管理装置の一部構成図である。
【０１２３】
第１０実施形態の商品管理システムは、保管庫１０の導電構造に特徴があり、図２５（ｂ）に示すように、保管庫１０の底部開口側の一部１０ａが導電体になっており、その一部１０ａに商品管理装置１ｃの回路グランドが電気的に接続される。これにより、保管庫１０の一部１０ａと利用者の人体との間に容量性結合が生じ、この容量性結合をもって通信可能となる。なお、一部１０ａを接地してもよいことは言うまでもない。
【０１２４】
このように、保管庫１０の全部ではなく一部１０ａを導電体で構成する場合でも、同様の効果が得られ、容量性結合をさらに利用する構造の場合には、通信性能をさらに向上させることができる。
【０１２５】
なお、第１０実施形態の導電体構造、すなわち全部ではなく一部に導電体を使用する構造は、商品管理装置の保管庫に限らず、タグ装置に対応付けされる商品を納めるための商品カゴにも適用可能である。
【０１２６】
また、上記第１〜第１０実施形態では、商品管理装置に電池１９０が具備される構成になるが、商品管理装置には商用電源の接続が可能であるので、電池１９０に代えて、商用電源を整流および平滑などして直流電力を得る直流電源が具備される構成でもよい。
【０１２７】
さらに、本出願人により別途出願されている特開２００２−９７１０号公報に記載の技術のように、保持装置に対して、電池によって常に通電され、信号電極を介してスタート信号を検出するスタート信号検出器を設け、コントローラにも電池によって常に通電し、コントローラがスタート信号検出器からスタート信号を受けたときに、信号送信器、信号受信器、変調器および復調器の全部または一部に通電するようにするとともに、商品管理装置に対して、スタート信号を生成してその通信電極から送信するスタート信号発生器を設けるようにしてもよい。この場合、商品管理装置の通信電極にタッチしたとき、商品管理装置からのスタート信号をスタート信号検出器が検出することにより、保持装置がスリープモードから全駆動モードに移行することになる。
【０１２８】
（第１１実施形態）
図２６は本発明に係る第１１実施形態の商品管理システムにおける設定器の構成図である。
【０１２９】
第１１実施形態の商品管理システムは、第１〜第６、第９、第１０実施形態のように商品管理装置およびタグ装置を備える商品管理システムのほか、第７、第８実施形態のようにタグ装置を備える商品管理システムに適用可能な図２６に示す設定器７をさらに備え、その設定器７により、商品管理装置の記憶部またはタグ装置の記憶部に、その記憶部用の商品の識別情報を記憶することができるようになっている。
【０１３０】
設定器７は、上記記憶部用の商品の識別情報を入力するための例えばキーなどにより構成される操作部７１と、信号電極７２と、操作部７１からの商品の識別情報を含む変調信号を生成する変調器７３と、この変調器７３によって生成された変調信号を信号電極７２から送信する信号送信器７４とを備えているほか、減衰部７５と、カバー７６と、電源７７と、コントローラ７０とを備えている。
【０１３１】
減衰部７５は、信号電極７２、変調器７３および信号送信器７４を、商品管理装置またはタグ装置と共通にするべく、商品の識別情報を含む変調信号を送信する際に、その信号レベルを減衰するものである。
【０１３２】
つまり、商品管理装置またはタグ装置が人体を経由して信号を伝送するため、信号伝送の観点から見ると人体は大きな減衰器であるから、人体の代わりに減衰部７５を設け、強制的に信号レベルを減衰することにより、上記共通化を図るようにしている。送信レベルを最初から小さくしてもよいが、回路構成が商品管理装置またはタグ装置と比較的似ているため、減衰部７５を設けることにより、回路の共用化が図れ、コスト低減の効果が期待できる。
【０１３３】
カバー７６は、信号電極７２と、商品管理装置の信号電極１２０またはタグ装置の信号電極２２０との金属同士の接触により、電極が摩耗することがないように、信号電極７２を覆うように樹脂などの非金属の材料により構成される。
【０１３４】
電源７７は、電池または商用電源から直流電力を得る電源回路などにより構成され、設定器７の各部に電力を供給するものである。
【０１３５】
コントローラ７０は、例えばマイコンなどにより、設定器７全般の制御などの処理を実行するように構成される。例えば、操作部７１で上記記憶部用の商品の識別情報が入力されると、その識別情報を変調器７３に渡し、変調器７３によって商品の識別情報を含む変調信号を生成させ、信号電極７２から出力する処理を実行する。
【０１３６】
商品管理装置は、第１１実施形態では、例えば第５実施形態の商品管理装置１ｃ（図１３参照）と同様に、復調器１４０と、信号受信器１４１と、信号切替器１５０とを備え、タグ装置は、例えば第１実施形態のタグ装置２（図３参照）と同様に、復調器２４０と、信号受信器２４１と、信号切替器２５０とを備えているものとする。
【０１３７】
そして、設定器７が適用される商品管理システムにおける商品管理装置は、信号電極１２０を通じて信号電極７２からの変調信号を受信する信号受信器１４１と、この信号受信器１４１によって受信された変調信号を復調信号に復調する復調器１４０とを介して、復調器１４０によって復調された復調信号から得られる商品の識別情報を、当該商品管理装置のコントローラが記憶部１１０に記憶するように構成される。
【０１３８】
また、設定器７が適用される商品管理システムにおけるタグ装置は、信号電極２２０を通じて信号電極７２からの変調信号を受信する信号受信器２４１と、この信号受信器２４１によって受信された変調信号を復調信号に復調する復調器２４０とを介して、復調器２４０によって復調された復調信号から得られる商品の識別情報を、当該タグ装置のコントローラが記憶部２１０に記憶するように構成される。
【０１３９】
さらに、本商品管理システムは、設定器７が、商品の識別情報を、設定するべき情報であることを示す情報（例えば、所定の設定コマンドや送信元が設定器であることを示す設定器の識別情報など）とともに、設定情報として送信し、商品管理装置またはタグ装置のコントローラが、その設定情報を受信したとき、商品の識別情報を記憶部に記憶設定するように構成される。
【０１４０】
上記構成の商品管理システムでは、設定器の信号電極７２と、商品管理装置の信号電極１２０またはタグ装置の信号電極２２０とをカバー７６を介して近接させて（カバー７６が無い場合には当接させ）、商品の識別情報を商品管理装置の記憶部１１０またはタグ装置の記憶部２１０に記憶することになる。
【０１４１】
具体的には、操作部７１で入力された商品の識別情報が、設定情報としてコントローラ７０から変調器７３に渡され、変調器７３によって設定情報を含む変調信号が生成され、減衰部７５で適切な信号レベルに減衰された後、信号電極７２から、商品管理装置の信号電極１２０またはタグ装置の信号電極２２０に送信される。
【０１４２】
そして、上記信号が商品管理装置の信号電極１２０で受信された場合には、信号受信器１４１によってその変調信号が受信され、復調器１４０によって変調信号が復調信号に復調される。続いて、復調信号から得られる商品の識別情報が、商品管理装置のコントローラによって、設定するべき商品の識別情報として記憶部１１０に記憶される。この場合、設定するべき商品の識別情報を記憶部１１０に記憶設定した旨を報知部で報知するようにするのがより望ましい。
【０１４３】
これに対し、上記信号がタグ装置の信号電極２２０で受信された場合には、信号受信器２４１によってその変調信号が受信され、復調器２４０によって変調信号が復調信号に復調される。続いて、復調信号から得られる商品の識別情報が、商品管理装置のコントローラによって、設定するべき商品の識別情報として記憶部２１０に記憶される。この場合、設定するべき商品の識別情報を記憶部２１０に記憶設定した旨を報知部で報知するようにするのがより望ましい。
【０１４４】
このような商品管理システムによれば、設定するべき商品の識別情報を商品管理装置の記憶部１１０またはタグ装置の記憶部２１０に記憶することができるとともに、設定器７の信号電極７２、変調器７３および信号送信器７４を、商品管理装置またはタグ装置のそれらと共通化することができる。
【０１４５】
（第１２実施形態）
図２７は本発明に係る第１２実施形態の商品管理システムにおける設定器の構成図である。
【０１４６】
第１２実施形態の商品管理システムは、第１〜第６、第９、第１０実施形態のように商品管理装置およびタグ装置を備える商品管理システムのほか、第７、第８実施形態のようにタグ装置を備える商品管理システムに適用可能な図２７に示す設定器７ａをさらに備え、その設定器７ａにより、商品管理装置の記憶部またはタグ装置の記憶部に、その記憶部用の商品の識別情報を記憶することができるようになっている。
【０１４７】
設定器７ａは、操作部７１と、信号電極７２と、変調器７３と、信号送信器７４と、電源７７と、コントローラ７０とを、第１１実施形態の設定器７と同様に備えている。
【０１４８】
商品管理装置は、第１２実施形態でも、例えば第５実施形態の商品管理装置１ｃ（図１３参照）と同様に、復調器１４０と、信号受信器１４１と、信号切替器１５０とを備え、タグ装置は、例えば第１実施形態のタグ装置２（図３参照）と同様に、復調器２４０と、信号受信器２４１と、信号切替器２５０とを備えているものとする。また、第１２実施形態では、保持装置は、例えば第２実施形態の保持装置３ａ（図５参照）と同様に、変調器３３０と、信号送信器３３１と、信号切替部３５０とを備えているものとする。
【０１４９】
そして、設定器７ａが適用される商品管理システムにおける保持装置は、信号電極３２０を通じて信号電極７２からの変調信号を受信する信号受信器３４１と、この信号受信器３４１によって受信された変調信号を復調信号に復調する復調器３４０と、この復調器３４０によって復調された復調信号から得られる商品の識別情報を記憶する記憶部３１０と、この記憶部３１０に記憶されている設定器７ａからの商品の識別情報を含む変調信号を生成する変調器３３０と、この変調器３３０によって生成された変調信号を信号電極３２０から送信する信号送信器３３１とを介して、設定器７ａからの商品の識別情報を、当該保持装置のコントローラが商品管理装置またはタグ装置に転送するように構成される。
【０１５０】
設定器７ａが適用される商品管理システムにおける商品管理装置は、信号電極１２０を通じて信号電極７２からの変調信号を受信する信号受信器１４１と、この信号受信器１４１によって受信された変調信号を復調信号に復調する復調器１４０とを介して、復調器１４０によって復調された復調信号から得られる設定器７ａからの商品の識別情報を、当該商品管理装置のコントローラが記憶部１１０に記憶するように構成される。
【０１５１】
設定器７ａが適用される商品管理システムにおけるタグ装置は、信号電極２２０を通じて信号電極７２からの変調信号を受信する信号受信器２４１と、この信号受信器２４１によって受信された変調信号を復調信号に復調する復調器２４０とを介して、復調器２４０によって復調された復調信号から得られる設定器７ａからの商品の識別情報を、当該タグ装置のコントローラが記憶部２１０に記憶するように構成される。
【０１５２】
さらに、本商品管理システムは、設定器７ａが第１１実施形態と同様に設定情報を送信し、設定情報を受信した保持装置のコントローラが、例えば、所定時間または停止操作があるまで設定情報を繰り返し送信するように構成される。
【０１５３】
上記構成の商品管理システムでは、保持装置の装着者（利用者）により設定器７ａの信号電極７２にタッチさせて、商品の識別情報を保持装置の記憶部３１０に一旦保持させ、上記装着者により、商品管理装置の信号電極１２０またはタグ装置の信号電極２２０にタッチさせて、商品の識別情報を商品管理装置の記憶部１１０またはタグ装置の記憶部２１０に記憶することになる。
【０１５４】
具体的には、操作部７１で入力された商品の識別情報が、設定情報としてコントローラ７０から変調器７３に渡され、変調器７３によって設定情報を含む変調信号が生成され、信号電極７２から人体を介して保持装置の信号電極３２０に送信される。
【０１５５】
上記信号が保持装置の信号電極３２０で受信されると、信号受信器３４１によってその変調信号が受信され、復調器３４０によって変調信号が復調信号に復調される。続いて、保持装置のコントローラによって、復調信号から得られる設定情報が受信されると、記憶部３１０に一時保持されるとともに、変調器３３０および信号送信器３３１を介して設定情報を含む変調信号が繰り返し送信される。
【０１５６】
そして、上記信号が、人体を介して商品管理装置の信号電極１２０で受信された場合には、信号受信器１４１によってその変調信号が受信され、復調器１４０によって変調信号が復調信号に復調される。続いて、復調信号から得られる商品の識別情報が、商品管理装置のコントローラによって、設定するべき商品の識別情報として記憶部１１０に記憶される。この場合、設定するべき商品の識別情報を記憶部１１０に記憶設定した旨を報知部で報知するようにするのがより望ましい。
【０１５７】
これに対し、上記信号が、人体を介してタグ装置の信号電極２２０で受信された場合には、信号受信器２４１によってその変調信号が受信され、復調器２４０によって変調信号が復調信号に復調される。続いて、復調信号から得られる商品の識別情報が、商品管理装置のコントローラによって、設定するべき商品の識別情報として記憶部２１０に記憶される。この場合、設定するべき商品の識別情報を記憶部２１０に記憶設定した旨を報知部で報知するようにするのがより望ましい。
【０１５８】
このような商品管理システムによれば、設定するべき商品の識別情報を商品管理装置の記憶部１１０またはタグ装置の記憶部２１０に記憶することができるほか、保持装置を経由することにより、設定器７ａの信号電極７２、変調器７３および信号送信器７４を、商品管理装置またはタグ装置のそれらと共通化することができる。
【０１５９】
また、保持装置に対して設定器７ａのための回路を追加する必要がない場合には、第１１実施形態に比べ、減衰器７５およびカバー７６が不要になる分、コストダウンが可能となる。
【０１６０】
さらに、人が各信号電極にタッチすることにより、商品の識別情報が設定されるから、商品管理装置またはタグ装置に対して設定器を近づける必要がなくなり、設定操作が格段に容易となる。
【０１６１】
なお、第１２実施形態では、設定情報を受信した保持装置のコントローラが、所定時間または停止操作があるまで設定情報を繰り返し送信する構成になっているが、これに限らず、設定情報を受信した保持装置のコントローラが、所定時間または停止操作があるまで応答要求信号を繰り返し送信し、その応答要求信号を受信した商品管理装置またはタグ装置が応答した時点で、保持装置が、一時保持している設定情報を商品管理装置またはタグ装置に送信するように構成してもよい。ただし、この構成の場合には、信号電極７２からの変調信号を受信する信号受信器、この信号受信器によって受信された変調信号を復調信号に復調する復調器、および信号切替部などを設定器にさらに具備する必要がある。
【０１６２】
（第１３実施形態）
図２８は本発明に係る第１３実施形態の商品管理システムにおける商品管理装置の構成図である。
【０１６３】
第１３実施形態の商品管理システムは、図２８に示すように、商品管理装置１ｅが、ＬＡＮまたはインターネットなどのネットワークＮを介して接続されるデータベースを記憶部１１０ａとして備えていることを特徴とする。図２８の例では、第５実施形態の商品管理装置１ｃの記憶部１１０に代えて、上記記憶部１１０ａが設けられる構成になっているが、第１３実施形態の記憶部１１０ａは他の実施形態にも適用可能であることは言うまでもない。
【０１６４】
上記構成の商品管理システムでは、必要な商品の識別情報が検索などにより記憶部１１０ａから取得され、コントローラ１００ｃの内部メモリに一時保持される。つまり、商品の識別情報は、データベースである記憶部１１０ａで一括管理されているのである。
【０１６５】
このような構成によれば、保管庫などの保管スペースには信号電極だけを用意し、その他の回路ブロックを一箇所に設けることにより、一元管理およびコスト削減が可能となる。
【０１６６】
【発明の効果】
以上のことから明らかなように、請求項１記載の発明は、複数種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、前記商品管理装置は、前記複数種類の商品をそれぞれ保管する複数の保管スペース部と、これら複数の保管スペース部に保管される複数種類の商品の識別情報を記憶する管理側記憶手段と、前記複数の保管スペース部にそれぞれ設けられる複数の管理側信号電極と、前記管理側記憶手段に記憶されている識別情報を含む変調信号を生成する管理側変調手段と、この管理側変調手段によって生成された変調信号をこれに含まれる識別情報に対応する前記管理側信号電極から送信する管理側送信手段とを備え、前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、前記保持装置は、保持側信号電極と、接地電極と、当該保持装置を保持する利用者が前記管理側信号電極または前記タグ側信号電極にタッチしたとき、前記保持側信号電極を通じて前記管理側信号電極または前記タグ側信号電極からの変調信号を受信する保持側受信手段と、この保持側受信手段によって受信された変調信号を復調信号に復調する保持側復調手段と、この保持側復調手段によって復調された復調信号から、前記商品管理装置からの識別情報および前記タグ装置からの識別情報を得てこれらの照合を行う照合手段とを備えるので、商品管理装置からの識別情報およびタグ装置からの識別情報の照合結果が得られることになるから、商品の誤出庫ないし誤出荷などの防止が可能となる。
【０１６７】
請求項２記載の発明は、複数種類の商品のうち１種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、前記商品管理装置は、自己が管理する商品の識別情報を記憶する管理側記憶手段と、管理側信号電極と、前記管理側記憶手段に記憶されている識別情報を含む変調信号を生成する管理側変調手段と、この管理側変調手段によって生成された変調信号を前記管理側信号電極から送信する管理側送信手段とを備え、前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、前記保持装置は、保持側信号電極と、接地電極と、当該保持装置を保持する利用者が前記管理側信号電極または前記タグ側信号電極にタッチしたとき、前記保持側信号電極を通じて前記管理側信号電極または前記タグ側信号電極からの変調信号を受信する保持側受信手段と、この保持側受信手段によって受信された変調信号を復調信号に復調する保持側復調手段と、この保持側復調手段によって復調された復調信号から、前記商品管理装置からの識別情報および前記タグ装置からの識別情報を得てこれらの照合を行う照合手段とを備えるので、商品管理装置からの識別情報およびタグ装置からの識別情報の照合結果が得られることになるから、商品の誤出庫ないし誤出荷などの防止が可能となるとともに、ケーブルを使った配線を不要にすることができる。
【０１６８】
請求項３記載の発明は、請求項２記載の商品管理システムにおいて、前記商品管理装置および前記タグ装置をそれぞれ複数備えるのであり、この構成でも、商品の誤出庫ないし誤出荷などの防止が可能となるとともに、ケーブルを使った配線を不要にすることができる。
【０１６９】
請求項４記載の発明は、請求項１から３のいずれかに記載の商品管理システムにおいて、前記保持装置は、前記照合手段の照合結果を示す情報を、当該保持装置を保持する利用者に報知する報知手段を備えるので、照合結果を示す情報が利用者に報知されることになるから、正確に出庫ないし出荷していることを認識しながら業務を遂行していくことができる。
【０１７０】
請求項５記載の発明は、請求項１から３のいずれかに記載の商品管理システムにおいて、前記保持装置は、前記照合手段の照合結果を含む変調信号を生成する保持側変調手段と、この保持側変調手段によって生成された変調信号を前記保持側信号電極から送信する保持側送信手段とを備え、前記商品管理装置は、前記保持装置を保持する利用者がタッチした前記管理側信号電極を通じて前記保持側信号電極からの変調信号を受信する管理側受信手段と、この管理側受信手段によって受信された変調信号を復調信号に復調する管理側復調手段と、この管理側復調手段によって復調された復調信号から、前記保持装置からの照合結果を得て、この照合結果を示す情報を前記利用者に対して報知する報知手段とを備えるので、照合結果を示す情報が利用者に報知されることになるから、正確に出庫ないし出荷していることを認識しながら業務を遂行していくことができる。
【０１７１】
請求項６記載の発明は、複数種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、前記保持装置は、保持側信号電極と、接地電極と、当該保持装置を保持する利用者が前記タグ側信号電極にタッチしたとき、前記保持側信号電極を通じて前記タグ側信号電極からの変調信号を受信する保持側受信手段と、この保持側受信手段によって受信された変調信号を復調信号に復調する保持側復調手段と、この保持側復調手段によって復調された復調信号から、前記タグ装置からの識別情報を得てこれを記憶する保持側記憶手段と、この保持側記憶手段に記憶されている識別情報を含む変調信号を生成する保持側変調手段と、この保持側変調手段によって生成された変調信号を前記保持側信号電極から送信する保持側送信手段とを備え、前記商品管理装置は、前記複数種類の商品をそれぞれ保管する複数の保管スペース部と、これら複数の保管スペース部に保管される複数種類の商品の識別情報を記憶する管理側記憶手段と、前記複数の保管スペース部にそれぞれ設けられる複数の管理側信号電極と、これら複数の管理側信号電極のうちいずれかの管理側信号電極に前記保持装置を保持する利用者がタッチしたとき、その管理側信号電極を通じて前記保持側信号電極からの変調信号を受信する管理側受信手段と、この管理側受信手段によって受信された変調信号を復調信号に復調する管理側復調手段と、この管理側復調手段によって復調された復調信号から、前記保持装置からの識別情報を得て、これと前記利用者がタッチした管理側信号電極に対応する識別情報との照合を行う照合手段とを備えるので、保持装置からの識別情報と商品管理装置の対応する識別情報との照合結果が得られることになるから、商品の誤出庫ないし誤出荷などの防止が可能となる。
【０１７２】
請求項７記載の発明は、複数種類の商品のうち１種類の商品を管理する商品管理装置と、前記複数種類の商品のうち少なくとも１種類の商品に対応付けされるタグ装置と、利用者に保持されその利用者の人体を通じて前記商品管理装置および前記タグ装置と通信を行う保持装置とにより構成される商品管理システムであって、前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、前記保持装置は、保持側信号電極と、接地電極と、当該保持装置を保持する利用者が前記タグ側信号電極にタッチしたとき、前記保持側信号電極を通じて前記タグ側信号電極からの変調信号を受信する保持側受信手段と、この保持側受信手段によって受信された変調信号を復調信号に復調する保持側復調手段と、この保持側復調手段によって復調された復調信号から、前記タグ装置からの識別情報を得てこれを記憶する保持側記憶手段と、この保持側記憶手段に記憶されている識別情報を含む変調信号を生成する保持側変調手段と、この保持側変調手段によって生成された変調信号を前記保持側信号電極から送信する保持側送信手段とを備え、前記商品管理装置は、自己が管理する商品の識別情報を記憶する管理側記憶手段と、管理側信号電極と、この管理側信号電極に前記保持装置を保持する利用者がタッチしたとき、その管理側信号電極を通じて前記保持側信号電極からの変調信号を受信する管理側受信手段と、この管理側受信手段によって受信された変調信号を復調信号に復調する管理側復調手段と、この管理側復調手段によって復調された復調信号から、前記保持装置からの識別情報を得て、これと前記管理側記憶手段に記憶されている識別情報との照合を行う照合手段とを備えるので、商品管理装置からの識別情報およびタグ装置からの識別情報の照合結果が得られることになるから、商品の誤出庫ないし誤出荷などの防止が可能となるとともに、ケーブルを使った配線を不要にすることができる。
【０１７３】
請求項８記載の発明は、請求項７記載の商品管理システムにおいて、前記商品管理装置および前記タグ装置をそれぞれ複数備えるのであり、この構成でも、商品の誤出庫ないし誤出荷などの防止が可能となるとともに、ケーブルを使った配線を不要にすることができる。
【０１７４】
請求項９記載の発明は、請求項６から８のいずれかに記載の商品管理システムにおいて、前記商品管理装置は、前記照合手段の照合結果を示す情報を、前記保持装置を保持する利用者に報知する報知手段を備えるので、照合結果を示す情報が利用者に報知されることになるから、正確に出庫ないし出荷していることを認識しながら業務を遂行していくことができる。
【０１７５】
請求項１０記載の発明は、請求項６から８のいずれかに記載の商品管理システムにおいて、前記商品管理装置は、前記照合手段の照合結果を含む変調信号を生成する管理側変調手段と、この管理側変調手段によって生成された変調信号を前記管理側信号電極から送信する管理側送信手段とを備え、前記保持装置は、前記保持側復調手段によって復調された復調信号から、前記商品管理装置からの照合結果を得て、この照合結果を示す情報を前記利用者に対して報知する報知手段とを備えるので、照合結果を示す情報が利用者に報知されることになるから、正確に出庫ないし出荷していることを認識しながら業務を遂行していくことができる。
【０１７６】
請求項１１記載の発明は、複数種類の商品のうち少なくとも１種類の商品に対応付けされるタグ装置と、利用者に保持されその利用者の人体を通じて前記タグ装置と通信を行う保持装置とにより構成される商品管理システムであって、前記タグ装置は、自己に対応付けされた少なくとも１種類の商品の識別情報を記憶するタグ側記憶手段と、タグ側信号電極と、前記タグ側記憶手段に記憶されている識別情報を含む変調信号を生成するタグ側変調手段と、このタグ側変調手段によって生成された変調信号を前記タグ側信号電極から送信するタグ側送信手段とを備え、前記保持装置は、前記複数種類の商品のうち自己に対応付けされた少なくとも１種類の商品の識別情報を記憶する保持側記憶手段と、保持側信号電極と、接地電極と、当該保持装置を保持する利用者が前記タグ側信号電極にタッチしたとき、前記保持側信号電極を通じて前記タグ側信号電極からの変調信号を受信する保持側受信手段と、この保持側受信手段によって受信された変調信号を復調信号に復調する保持側復調手段と、この保持側復調手段によって復調された復調信号から、前記タグ装置からの識別情報を得て、これと前記保持側記憶手段に記憶されている識別情報との照合を行う照合手段とを備えるので、タグ装置からの識別情報と保持装置の識別情報との照合結果が得られることになるから、商品の誤出庫ないし誤出荷などの防止が可能となる。
【０１７７】
請求項１２記載の発明は、請求項１１記載の商品管理システムにおいて、前記保持装置は、前記照合手段の照合結果を示す情報を、当該保持装置を保持する利用者に報知する報知手段を備えるので、照合結果を示す情報が利用者に報知されることになるから、正確に出庫ないし出荷していることを認識しながら業務を遂行していくことができる。
【０１７８】
請求項１３記載の発明は、請求項１１記載の商品管理システムにおいて、前記保持装置は、前記照合手段の照合結果を含む変調信号を生成する保持側変調手段と、この保持側変調手段によって生成された変調信号を前記保持側信号電極から送信する保持側送信手段とを備え、前記タグ装置は、前記保持装置を保持する利用者がタッチした前記タグ側信号電極を通じて前記保持側信号電極からの変調信号を受信するタグ側受信手段と、このタグ側受信手段によって受信された変調信号を復調信号に復調するタグ側復調手段と、このタグ側復調手段によって復調された復調信号から、前記保持装置からの照合結果を得て、この照合結果を示す情報を前記利用者に対して報知する報知手段とを備えるので、照合結果を示す情報が利用者に報知されることになるから、正確に出庫ないし出荷していることを認識しながら業務を遂行していくことができる。
【０１７９】
請求項１４記載の発明は、請求項５から１０のいずれかに記載の商品管理システムにおいて、前記商品管理装置によって管理される商品が保管される保管スペース部の開口を開閉自在に閉塞する開閉扉と、この開閉扉を施錠する電気錠とを備え、前記照合結果を示す情報が合致したことを示す情報であるとき、対応する開閉扉の電気錠を解錠する解錠手段を前記商品管理装置に設けたので、照合結果を示す情報が合致したことを示す情報でないとき、電気錠が解錠されないことになるから、誤った商品が取り出されて出庫ないし出荷されるのをより好適に防止することができる。
【０１８０】
請求項１５記載の発明は、請求項１２記載の商品管理システムにおいて、前記タグ装置は、当該タグ装置に対応付けされる商品を納めるための商品カゴと、この商品カゴの開口を開閉自在に閉塞する開閉扉と、この開閉扉を施錠する電気錠と、前記照合結果を示す情報が合致したことを示す情報であるとき、前記開閉扉の電気錠を解錠する解錠手段とを備えるので、照合結果を示す情報が合致したことを示す情報でないとき、電気錠が解錠されないことになるから、誤った商品が取り出されて出庫ないし出荷されるのをより好適に防止することができる。
【０１８１】
請求項１６記載の発明は、請求項１、４、５、６、９、１０または１４記載の商品管理システムにおいて、前記保管スペース部の全部または一部は導電体であり、この導電体と前記商品管理装置の回路グランドとが電気的に接続されるので、導電体と利用者の人体との間の容量性結合により、通信性能が向上することになる。
【０１８２】
請求項１７記載の発明は、請求項１１、１２、１３または１５記載の商品管理システムにおいて、前記タグ装置は、当該タグ装置に対応付けされる商品を納めるための商品カゴを備え、この商品カゴの全部または一部は導電体であり、この導電体と前記タグ装置の回路グランドとが電気的に接続されるので、導電体と利用者の人体との間の容量性結合により、通信性能が向上することになる。
【０１８３】
請求項１８記載の発明は、請求項１、２、３、４、５、６、７、８、９、１０、１４または１６記載の商品管理システムにおいて、前記商品管理装置の管理側記憶手段または前記タグ装置のタグ側記憶手段に、その記憶手段用の商品の識別情報を記憶するための設定器を備えるので、設定するべき商品の識別情報を商品管理装置の管理側記憶手段またはタグ装置のタグ側記憶手段に記憶することができる。
【０１８４】
請求項１９記載の発明は、請求項１１、１２、１３、１５または１７記載の商品管理システムにおいて、前記タグ装置のタグ側記憶手段に、その記憶手段用の商品の識別情報を記憶するための設定器を備えるので、設定するべき商品の識別情報をタグ装置のタグ側記憶手段に記憶することができる。
【０１８５】
請求項２０記載の発明は、請求項１８記載の商品管理システムにおいて、前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、前記商品管理装置は、当該商品管理装置における、前記管理側信号電極を通じて前記設定側信号電極からの変調信号を受信する管理側受信手段およびこの管理側受信手段によって受信された変調信号を復調信号に復調する管理側復調手段を介して、その管理側復調手段によって復調された復調信号から得られる商品の識別情報を当該管理側記憶手段に記憶し、前記タグ装置は、当該タグ装置における、前記タグ側信号電極を通じて前記設定側信号電極からの変調信号を受信するタグ側受信手段およびこのタグ側受信手段によって受信された変調信号を復調信号に復調するタグ側復調手段を介して、そのタグ側復調手段によって復調された復調信号から得られる商品の識別情報を当該タグ側記憶手段に記憶するので、設定するべき商品の識別情報を商品管理装置の管理側記憶手段またはタグ装置のタグ側記憶手段に記憶することができる。
【０１８６】
請求項２１記載の発明は、請求項１９記載の商品管理システムにおいて、前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、前記タグ装置は、当該タグ装置における、前記タグ側信号電極を通じて前記設定側信号電極からの変調信号を受信するタグ側受信手段およびこのタグ側受信手段によって受信された変調信号を復調信号に復調するタグ側復調手段を介して、そのタグ側復調手段によって復調された復調信号から得られる商品の識別情報を当該タグ側記憶手段に記憶するので、設定するべき商品の識別情報をタグ装置のタグ側記憶手段に記憶することができる。
【０１８７】
請求項２２記載の発明は、請求項１８記載の商品管理システムにおいて、前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、前記保持装置は、当該保持装置における、前記保持側信号電極を通じて前記設定側信号電極からの変調信号を受信する保持側受信手段、この保持側受信手段によって受信された変調信号を復調信号に復調する保持側復調手段、この保持側復調手段によって復調された復調信号から得られる商品の識別情報を含む変調信号を生成する保持側変調手段およびこの保持側変調手段によって生成された変調信号を前記保持側信号電極から送信する保持側送信手段を介して、前記設定器からの商品の識別情報を前記商品管理装置または前記タグ装置に転送し、前記商品管理装置は、当該商品管理装置における、前記管理側信号電極を通じて前記保持側信号電極からの変調信号を受信する管理側受信手段およびこの管理側受信手段によって受信された変調信号を復調信号に復調する管理側復調手段を介して、その管理側復調手段によって復調された復調信号から得られる前記設定器からの商品の識別情報を当該管理側記憶手段に記憶し、前記タグ装置は、当該タグ装置における、前記タグ側信号電極を通じて前記保持側信号電極からの変調信号を受信するタグ側受信手段およびこのタグ側受信手段によって受信された変調信号を復調信号に復調するタグ側復調手段を介して、そのタグ側復調手段によって復調された復調信号から得られる前記設定器からの商品の識別情報を当該タグ側記憶手段に記憶するので、設定するべき商品の識別情報を商品管理装置の管理側記憶手段またはタグ装置のタグ側記憶手段に記憶することができるほか、構成の一部を商品管理装置またはタグ装置と共通化することができ、しかも設定操作が格段に容易となる。
【０１８８】
請求項２３記載の発明は、請求項１９記載の商品管理システムにおいて、前記設定器は、設定側信号電極と、前記記憶手段用の商品の識別情報を含む変調信号を生成する設定側変調手段と、この設定側変調手段によって生成された変調信号を前記設定側信号電極から送信する設定側送信手段とを備え、前記保持装置は、当該保持装置における、前記保持側信号電極を通じて前記設定側信号電極からの変調信号を受信する保持側受信手段、この保持側受信手段によって受信された変調信号を復調信号に復調する保持側復調手段、この保持側復調手段によって復調された復調信号から得られる商品の識別情報を含む変調信号を生成する保持側変調手段およびこの保持側変調手段によって生成された変調信号を前記保持側信号電極から送信する保持側送信手段を介して、前記設定器からの商品の識別情報を前記タグ装置に転送し、前記タグ装置は、当該タグ装置における、前記タグ側信号電極を通じて前記保持側信号電極からの変調信号を受信するタグ側受信手段およびこのタグ側受信手段によって受信された変調信号を復調信号に復調するタグ側復調手段を介して、そのタグ側復調手段によって復調された復調信号から得られる前記設定器からの商品の識別情報を当該タグ側記憶手段に記憶するので、設定するべき商品の識別情報をタグ装置のタグ側記憶手段に記憶することができるほか、構成の一部をタグ装置と共通化することができ、しかも設定操作が格段に容易となる。
【０１８９】
請求項２４記載の発明は、請求項１、２、３、４、５、６、７、８、９、１０、１４または１６記載の商品管理システムにおいて、前記商品管理装置は、ネットワークを介して接続されるデータベースを前記管理側記憶手段として備えるので、例えば管理側記憶手段に記憶する情報を一元管理することができる。
【図面の簡単な説明】
【図１】本発明に係る第１実施形態の商品管理システムの全体構成図である。
【図２】図１中の商品管理装置の構成図である。
【図３】図１中のタグ装置の構成図である。
【図４】図１中の保持装置の構成図である。
【図５】本発明に係る第２実施形態の商品管理システムにおける保持装置の構成図である。
【図６】同商品管理システムにおける商品管理装置の構成図である。
【図７】本発明に係る第３実施形態の商品管理システムにおける商品管理装置の斜視図である。
【図８】同商品管理装置を側方から見た図である。
【図９】同商品管理装置の構成図である。
【図１０】本発明に係る第４実施形態の商品管理システムの全体構成図である。
【図１１】図１０中の保持装置の構成図である。
【図１２】図１１中の商品管理装置の構成図である。
【図１３】本発明に係る第５実施形態の商品管理システムにおける商品管理装置の構成図である。
【図１４】同商品管理システムにおける保持装置の構成図である。
【図１５】本発明に係る第６実施形態の商品管理システムにおける商品管理装置の斜視図である。
【図１６】同商品管理装置を側方から見た図である。
【図１７】同商品管理装置を側方から見た図である。
【図１８】同商品管理装置の構成図である。
【図１９】本発明に係る第７実施形態の商品管理システムの全体構成図である。
【図２０】図１９中のタグ装置の構成図である。
【図２１】図１９中の保持装置の構成図である。
【図２２】本発明に係る第８実施形態の商品管理システムにおける保持装置の構成図である。
【図２３】同商品管理システムにおけるタグ装置の構成図である。
【図２４】本発明に係る第９実施形態の商品管理システムにおける商品管理装置の一部構成図である。
【図２５】本発明に係る第１０実施形態の商品管理システムにおける商品管理装置の一部構成図である。
【図２６】本発明に係る第１１実施形態の商品管理システムにおける設定器の構成図である。
【図２７】本発明に係る第１２実施形態の商品管理システムにおける設定器の構成図である。
【図２８】本発明に係る第１３実施形態の商品管理システムにおける商品管理装置の構成図である。
【符号の説明】
１，１ａ，１ｂ，１ｃ，１ｄ，１ｅ　商品管理装置
１００，１００ａ，１００ｂ，１００ｃ　コントローラ
１１０，１１０ａ　記憶部
１２０　信号電極
１３０　変調器
１３１　信号送信器
１４０　復調器
１４１　信号受信器
１５０　信号切替部
１６０　報知部
１９０　電池
２，２ａ，２ｂ　タグ装置
２００，２００ａ，２００ｂ　コントローラ
２１０　記憶部
２２０　信号電極
２３０　変調器
２３１　信号送信器
２４０　復調器
２４１　信号受信器
２５０　信号切替部
２６０　報知部
２９０　電池
３，３ａ，３ｂ，３ｃ，３ｄ　保持装置
３００，３００ａ，３００ｂ，３００ｃ，３００ｄ　コントローラ
３１０，３１０ａ　記憶部
３１１　進行記憶部
３２０　信号電極
３２１　接地電極
３３０　変調器
３３１　信号送信器
３４０　復調器
３４１　信号受信器
３５０　信号切替部
３６０　報知部
３９０　電池
７，７ａ　設定器
【図１】
2004026501.tif 000003
【図２】
2004026501.tif 000004
【図３】
2004026501.tif 000005
【図４】
2004026501.tif 000006
【図５】
2004026501.tif 000007
【図６】
2004026501.tif 000008
【図７】
2004026501.tif 000009
【図８】
2004026501.tif 000010
【図９】
2004026501.tif 000011
【図１０】
2004026501.tif 000012
【図１１】
2004026501.tif 000013
【図１２】
2004026501.tif 000014
【図１３】
2004026501.tif 000015
【図１４】
2004026501.tif 000016
【図１５】
2004026501.tif 000017
【図１６】
2004026501.tif 000018
【図１７】
2004026501.tif 000019
【図１８】
2004026501.tif 000020
【図１９】
2004026501.tif 000021
【図２０】
2004026501.tif 000022
【図２１】
2004026501.tif 000023
【図２２】
2004026501.tif 000024
【図２３】
2004026501.tif 000025
【図２４】
2004026501.tif 000026
【図２５】
2004026501.tif 000027
【図２６】
2004026501.tif 000028
【図２７】
2004026501.tif 000029
【図２８】
2004026501.tif 000030